(57)【要約】  歯科インプラントが、略円筒形本体と、内部ボアと、非回転特徴物とを含む。略円筒形本体は、主中心軸を有し、少なくとも約９００ＭＰａの最大抗張力を有する冷間加工した高強度の商用純チタンから形成される。略円筒形本体は、近位部分、および歯科インプラントを患者の骨内に固定するための、反対側にある遠位部分を有する。内部ボアは、略円筒形本体内に形成され、（ｉ）ボア中心軸、および（ｉｉ）アバットメントを着脱自在保持するように構成されたねじを、歯科インプラントと係合して受領するための、ねじ切り部分を有する。非回転特徴物は、アバットメントと非回転式に係合するように構成される。
2019509851.tif 000002
【特許請求の範囲】
【請求項１】
角度付き歯科インプラントであって、
最大外側径および主中心軸を有する略円筒形本体であって、少なくとも約９００ＭＰａの最大抗張力を有する冷間加工した高強度の商用純チタンから形成され、近位部分、および前記角度付き歯科インプラントを患者の骨内に固定するための、反対側にある遠位部分を有する、略円筒形本体と、
内部ボアであって、前記略円筒形本体内に形成され、それにより、前記略円筒形本体の外側面の少なくとも一部分と前記内部ボアの内側面の少なくとも一部分とによって画定される、円周方向延在壁部を形成し、前記内部ボアが、前記略円筒形本体の前記主中心軸に対して約７°から約３１°の間の角度を成すボア中心軸を有し、前記ボア中心軸の相対角度のため、前記円周方向延在壁部の少なくとも第１の部分が、前記第１の部分の円周を巡って変化する厚さを有し、前記円周方向延在壁部の、前記第１の部分のところの前記厚さが、前記略円筒形本体の第１の側に隣接する最薄部分から、前記略円筒形本体の第２の反対側に隣接する最厚部分まで変化し、前記内部ボアが、アバットメントを着脱自在保持するように構成されたねじを、前記角度付き歯科インプラントと係合して受領するための、ねじ切り部分を有する、内部ボアと、
前記アバットメントと非回転式に係合するように構成された非回転特徴物と、
を備え、
前記略円筒形本体の前記最大外側径と、前記第１の部分のところの、前記略円筒形本体の前記第１の側に隣接する、前記円周方向延在壁部の前記最薄部分との比が、約１６から約８０の間である、
角度付き歯科インプラント。
【請求項２】
前記円周方向延在壁部の前記第１の部分が、前記内部ボアの近位端に隣接している、請求項１に記載の角度付き歯科インプラント。
【請求項３】
前記円周方向延在壁部の前記第１の部分が、前記内部ボアの遠位端に隣接している、請求項１に記載の角度付き歯科インプラント。
【請求項４】
前記比が約２０から約８０の間である、請求項１に記載の角度付き歯科インプラント。
【請求項５】
前記比が約３０から約８０の間である、請求項１に記載の角度付き歯科インプラント。
【請求項６】
前記比が約３０から約５０の間である、請求項１に記載の角度付き歯科インプラント。
【請求項７】
前記最大外側径が約３ミリメートルである、請求項１に記載の角度付き歯科インプラント。
【請求項８】
前記最大外側径が約３．２５ミリメートルである、請求項１に記載の角度付き歯科インプラント。
【請求項９】
前記最大外側径が約３．５ミリメートルである、請求項１に記載の角度付き歯科インプラント。
【請求項１０】
前記最大外側径が約４ミリメートルである、請求項１に記載の角度付き歯科インプラント。
【請求項１１】
前記最大外側径が約４．２５ミリメートルである、請求項１に記載の角度付き歯科インプラント。
【請求項１２】
前記第１の部分のところの、前記略円筒形本体の前記第１の側に隣接する、前記円周方向延在壁部の前記最薄部分が約０．０４ミリメートルである、請求項１に記載の角度付き歯科インプラント。
【請求項１３】
前記第１の部分のところの、前記略円筒形本体の前記第１の側に隣接する、前記円周方向延在壁部の前記最薄部分が約０．１０ミリメートルである、請求項１に記載の角度付き歯科インプラント。
【請求項１４】
前記第１の部分のところの、前記略円筒形本体の前記第１の側に隣接する、前記円周方向延在壁部の前記最薄部分が約０．１５ミリメートルである、請求項１に記載の角度付き歯科インプラント。
【請求項１５】
前記第１の部分のところの、前記略円筒形本体の前記第１の側に隣接する、前記円周方向延在壁部の前記最薄部分が約０．２ミリメートルである、請求項１に記載の角度付き歯科インプラント。
【請求項１６】
前記第１の部分のところの、前記略円筒形本体の前記第１の側に隣接する、前記円周方向延在壁部の前記最薄部分が約０．２５ミリメートルである、請求項１に記載の角度付き歯科インプラント。
【請求項１７】
前記第１の部分のところの、前記略円筒形本体の前記第１の側に隣接する、前記円周方向延在壁部の前記最薄部分が約０．３ミリメートルである、請求項１に記載の角度付き歯科インプラント。
【請求項１８】
前記第１の部分のところの、前記略円筒形本体の前記第１の側に隣接する、前記円周方向延在壁部の前記最薄部分が約０．３５ミリメートルである、請求項１に記載の角度付き歯科インプラント。
【請求項１９】
前記第１の部分のところの、前記略円筒形本体の前記第１の側に隣接する、前記円周方向延在壁部の前記最薄部分が約０．４ミリメートルである、請求項１に記載の角度付き歯科インプラント。
【請求項２０】
前記角度付き歯科インプラントが、インターナルコネクション歯科インプラントであり、前記非回転特徴物が、前記内部ボア内に形成されたソケットを含む、請求項１に記載の角度付き歯科インプラント。
【請求項２１】
前記角度付き歯科インプラントが、エクスターナルコネクション歯科インプラントであり、前記非回転特徴物が、前記略円筒形本体の前記近位部分から延在するボスを含む、請求項１に記載の角度付き歯科インプラント。
【請求項２２】
前記非回転特徴物が、前記アバットメントと係合する前に、前記角度付き歯科インプラントを前記患者の前記骨内に設置するために、工具によって係合されるように構成される、請求項１に記載の角度付き歯科インプラント。
【請求項２３】
前記患者の前記骨が、前記患者の上顎骨前方部または下顎骨前方部である、請求項２２に記載の角度付き歯科インプラント。
【請求項２４】
前記非回転特徴物が６面６角形ソケットである、請求項２２に記載の角度付き歯科インプラント。
【請求項２５】
前記非回転特徴物が１２面星形ソケットである、請求項２２に記載の角度付き歯科インプラント。
【請求項２６】
前記非回転特徴物が、前記アバットメントと非回転式に係合するように構成される、請求項１に記載の角度付き歯科インプラント。
【請求項２７】
前記アバットメントが、歯様補綴物を支持するための上部部分と、前記角度付き歯科インプラントの前記非回転特徴物と係合するための下部部分とを含む、請求項１に記載の角度付き歯科インプラント。
【請求項２８】
前記高強度の商用純チタンがグレードＩＶチタンである、請求項１に記載の角度付き歯科インプラント。
【請求項２９】
前記略円筒形本体の前記近位部分の外部表面が、マイクロねじ山を含み、前記略円筒形本体の前記反対側にある遠位部分の外部表面が、主ねじ山を含み、前記マイクロねじ山が、前記円周方向延在壁部の、前記最薄部分を有する前記第１の部分を巡って位置する、請求項１に記載の角度付き歯科インプラント。
【請求項３０】
前記マイクロねじ山が、前記主ねじ山に比べて小さな山−谷距離および大きなねじ山谷径を有する、請求項２９に記載の角度付き歯科インプラント。
【請求項３１】
角度付きザイゴマ歯科インプラントであって、
最大外側径および主中心軸を有する略円筒形本体であって、少なくとも約９００ＭＰａの最大抗張力を有する冷間加工した高強度の商用純チタンから形成され、近位部分、中間部分、および前記角度付きザイゴマ歯科インプラントを患者の骨内に固定するためのねじ切り遠位部分を有し、約２５ミリメートルから約６０ミリメートルの間の長さを有する、略円筒形本体と、
内部ボアであって、前記略円筒形本体内に形成され、それにより、前記略円筒形本体の外側面の少なくとも一部分と前記内部ボアの内側面の少なくとも一部分とによって画定される、円周方向延在壁部を形成し、前記内部ボアが、前記略円筒形本体の前記主中心軸に対して約４０°から約６５°の間の角度を成すボア中心軸を有し、前記ボア中心軸の相対角度のため、前記円周方向延在壁部が最薄部分を有し、前記内部ボアが、アバットメントを着脱自在保持するように構成されたねじを、前記角度付きザイゴマ歯科インプラントと係合して受領するための、ねじ切り部分を有する、内部ボアと、
前記アバットメントと非回転式に係合するように構成された非回転特徴物と、
を備え、
前記略円筒形本体の前記最大外側径と、前記円周方向延在壁部の前記最薄部分との比が、約５０から約７５の間である、
角度付きザイゴマ歯科インプラント。
【請求項３２】
前記円周方向延在壁部の前記最薄部分が、約０．０４ミリメートルから約０．１ミリメートルの間の厚さを有する、請求項３１に記載の角度付きザイゴマ歯科インプラント。
【請求項３３】
前記円周方向延在壁部の前記最薄部分が、約０．０６ミリメートルから約０．０８ミリメートルの間の厚さを有する、請求項３１に記載の角度付きザイゴマ歯科インプラント。
【請求項３４】
前記円周方向延在壁部の前記最薄部分が、前記内部ボアの遠位端に隣接している、請求項３１に記載の角度付きザイゴマ歯科インプラント。
【請求項３５】
前記角度が約５５度である、請求項３１に記載の角度付きザイゴマ歯科インプラント。
【請求項３６】
前記略円筒形本体の前記最大外側径が、約３．５ミリメートルから約４．５ミリメートルの間である、請求項３１に記載の角度付きザイゴマ歯科インプラント。
【請求項３７】
（ｉ）前記略円筒形本体の前記近位部分がねじ切りされており、（ｉｉ）前記略円筒形本体の前記中間部分がねじ切りされておらず、（ｉｉｉ）前記略円筒形本体の前記遠位部分がねじ切りされている、請求項３１に記載の角度付きザイゴマ歯科インプラント。
【請求項３８】
（ｉ）前記略円筒形本体の前記近位部分がねじ切りされておらず、（ｉｉ）前記略円筒形本体の前記中間部分がねじ切りされておらず、（ｉｉｉ）前記略円筒形本体の前記遠位部分がねじ切りされている、請求項３１に記載の角度付きザイゴマ歯科インプラント。
【請求項３９】
（ｉ）前記略円筒形本体の前記近位部分がねじ切りされており、（ｉｉ）前記略円筒形本体の前記中間部分がねじ切りされており、（ｉｉｉ）前記略円筒形本体の前記遠位部分がねじ切りされている、請求項３１に記載の角度付きザイゴマ歯科インプラント。
【請求項４０】
前記比が約５５から約６５の間である、請求項３１に記載の角度付きザイゴマ歯科インプラント。
【請求項４１】
前記長さが約４０ミリメートルから約５５ミリメートルの間である、請求項３１に記載の角度付きザイゴマ歯科インプラント。
【請求項４２】
前記アバットメントが、複数の補綴歯に結合されたブリッジである、請求項３１に記載の角度付きザイゴマ歯科インプラント。
【請求項４３】
歯科インプラントであって、
主中心軸を有する略円筒形本体であって、少なくとも約９００ＭＰａの最大抗張力を有する冷間加工した高強度の商用純チタンから形成され、近位部分、および前記歯科インプラントを患者の骨内に固定するための、反対側にある遠位部分を有する、略円筒形本体と、
内部ボアであって、前記略円筒形本体内に形成され、（ｉ）ボア中心軸、および（ｉｉ）アバットメントを着脱自在保持するように構成されたねじを、前記歯科インプラントと係合して受領するための、ねじ切り部分を有する、内部ボアと、
前記アバットメントと非回転式に係合するように構成された非回転特徴物と
を備える、歯科インプラント。
【請求項４４】
前記略円筒形本体が、前記略円筒形本体の外側面と前記内部ボアの内側面とによって画定される、円周方向延在壁部を含む、請求項４３に記載の歯科インプラント。
【請求項４５】
前記円周方向延在壁部の少なくとも一部分が、前記アバットメントと直接係合するように構成される、請求項４４に記載の歯科インプラント。
【請求項４６】
前記円周方向延在壁部の一部分が、約０．０４ミリメートルから約０．２５ミリメートルの間の厚さを有する、請求項４４に記載の歯科インプラント。
【請求項４７】
前記円周方向延在壁部の前記一部分が、前記内部ボアの近位端に隣接している、請求項４６に記載の歯科インプラント。
【請求項４８】
前記円周方向延在壁部の前記一部分が、前記内部ボアの遠位端に隣接している、請求項４６に記載の歯科インプラント。
【請求項４９】
前記円周方向延在壁部の一部分が、約０．１０ミリメートルから約０．２５ミリメートルの間の厚さを有する、請求項４４に記載の歯科インプラント。
【請求項５０】
前記円周方向延在壁部の一部分が、約０．１５ミリメートルから約０．２ミリメートルの間の厚さを有する、請求項４４に記載の歯科インプラント。
【請求項５１】
前記円周方向延在壁部の一部分が、約０．０５ミリメートルの厚さを有する、請求項４４に記載の歯科インプラント。
【請求項５２】
前記円周方向延在壁部の一部分が、約０．１５ミリメートルの厚さを有する、請求項４４に記載の歯科インプラント。
【請求項５３】
前記円周方向延在壁部の一部分が、約０．２ミリメートルの厚さを有する、請求項４４に記載の歯科インプラント。
【請求項５４】
前記円周方向延在壁部の一部分が、約０．２５ミリメートルの厚さを有する、請求項４４に記載の歯科インプラント。
【請求項５５】
前記円周方向延在壁部の一部分が、約０．３ミリメートルの厚さを有する、請求項４４に記載の歯科インプラント。
【請求項５６】
前記円周方向延在壁部の一部分が、約０．３５ミリメートルの厚さを有する、請求項４４に記載の歯科インプラント。
【請求項５７】
前記円周方向延在壁部の一部分が、約０．４ミリメートルの厚さを有する、請求項４４に記載の歯科インプラント。
【請求項５８】
前記最大抗張力が約９２０ＭＰａである、請求項４３に記載の歯科インプラント。
【請求項５９】
前記内部ボアの前記ボア中心軸が、前記略円筒形本体の前記主中心軸に対して非ゼロ角度を成す、請求項４３に記載の歯科インプラント。
【請求項６０】
前記非ゼロ角度が約７度から約３１度の間である、請求項５９に記載の歯科インプラント。
【請求項６１】
前記非ゼロ角度が約１２度である、請求項５９に記載の歯科インプラント。
【請求項６２】
前記非ゼロ角度が約２４度である、請求項５９に記載の歯科インプラント。
【請求項６３】
前記非ゼロ角度が約７度である、請求項５９に記載の歯科インプラント。
【請求項６４】
前記非ゼロ角度が約３１度である、請求項５９に記載の歯科インプラント。
【請求項６５】
前記略円筒形本体が、約３ミリメートルの最大外側径を有する、請求項４３に記載の歯科インプラント。
【請求項６６】
前記略円筒形本体が、約３．２５ミリメートルの最大外側径を有する、請求項４３に記載の歯科インプラント。
【請求項６７】
前記略円筒形本体が、約３．５ミリメートルの最大外側径を有する、請求項４３に記載の歯科インプラント。
【請求項６８】
前記略円筒形本体が、約４ミリメートルの最大外側径を有する、請求項４３に記載の歯科インプラント。
【請求項６９】
前記略円筒形本体が、約４．２５ミリメートルの最大外側径を有する、請求項４３に記載の歯科インプラント。
【請求項７０】
前記略円筒形本体の前記近位部分の外部表面が、第１のねじ山を含み、前記略円筒形本体の前記反対側にある遠位部分の外部表面が、第２のねじ山を含む、請求項４３に記載の歯科インプラント。
【請求項７１】
前記第１のねじ山が、第１のピッチを有し、前記第２のねじ山が、前記第１のピッチと同じ第２のピッチを有する、請求項７０に記載の歯科インプラント。
【請求項７２】
前記第１のねじ山が多条ねじ山であり、前記第２のねじ山が一条ねじ山である、請求項７１に記載の歯科インプラント。
【請求項７３】
前記第１のねじ山の山−谷距離が、約０．０５ミリメートルから約０．１ミリメートルの範囲内にあり、前記第２のねじ山の山−谷距離が、約０．２ミリメートルから約０．５ミリメートルの範囲内にある、請求項７１に記載の歯科インプラント。
【請求項７４】
前記略円筒形本体の前記近位部分の外部表面が、第１のねじ山を含み、前記略円筒形本体の前記反対側にある遠位部分の外部表面が、第２のねじ山を含み、前記第１のねじ山が、前記円周方向延在壁部の最薄部分を巡って位置する、請求項４４に記載の歯科インプラント。
【請求項７５】
前記第１のねじ山がマイクロねじ山であり、前記第２のねじ山が主ねじ山である、請求項７４に記載の歯科インプラント。
【請求項７６】
前記患者の前記骨が、前記患者の上顎骨前方部または下顎骨前方部である、請求項４３に記載の歯科インプラント。
【請求項７７】
前記高強度の商用純チタンがグレードＩＶチタンである、請求項４３に記載の歯科インプラント。
【請求項７８】
前記歯科インプラントが、インターナルコネクション歯科インプラントであり、前記非回転特徴物が、前記内部ボア内に形成されたソケットを含む、請求項４３に記載の歯科インプラント。
【請求項７９】
前記歯科インプラントが、エクスターナルコネクション歯科インプラントであり、前記非回転特徴物が、前記略円筒形本体の前記近位部分から延在するボスを含む、請求項４３に記載の歯科インプラント。
【請求項８０】
歯科インプラントを作製する方法であって、
冷間加工した商用純チタンを、主中心軸を有する略円筒形本体に機械加工するステップであって、前記略円筒形本体が、近位部分、および前記歯科インプラントを患者の骨内に固定するための、反対側にある遠位部分を有し、前記冷間加工した商用純チタンが、少なくとも約９００ＭＰａの最大抗張力を有する、ステップと、
前記略円筒形本体内に内部ボアを形成するステップであって、前記内部ボアが、（ｉ）ボア中心軸、および（ｉｉ）ねじ切り部分を含む、ステップと、
前記略円筒形本体内に、アバットメントと係合するための非回転特徴物を形成するステップと、
を含む、方法。
【請求項８１】
前記内部ボアの前記ボア中心軸が、前記略円筒形本体の前記主中心軸に対して非ゼロ角度を成す、請求項８０に記載の方法。
【請求項８２】
前記機械加工した略円筒形本体が、約３ミリメートルから約４ミリメートルの間の最大外側径を有する、請求項８１に記載の方法。
【請求項８３】
前記非ゼロ角度が、７度よりも大きく３１度未満である、請求項８２に記載の方法。
【請求項８４】
前記略円筒形本体が、前記略円筒形本体の外側面と前記内部ボアの内側面とによって画定される円周方向延在壁部を含むように機械加工される、請求項８３に記載の方法。
【請求項８５】
前記円周方向延在壁部の一部分が、約０．０４ミリメートルから約０．２５ミリメートルの間の厚さを有する、請求項８４に記載の方法。
【請求項８６】
前記円周方向延在壁部の一部分が、約０．０４ミリメートルから約０．４ミリメートルの間の厚さを有する、請求項８４に記載の方法。
【請求項８７】
前記円周方向延在壁部の前記一部分が、前記内部ボアの近位端に隣接している、請求項８５に記載の方法。
【請求項８８】
前記円周方向延在壁部の前記一部分が、前記内部ボアの遠位端に隣接している、請求項８５に記載の方法。
【請求項８９】
高強度の前記商用純チタンがグレードＩＶチタンである、請求項８５に記載の方法。
【請求項９０】
前記歯科インプラントを患者の上顎骨前方部または下顎骨前方部内に設置するステップをさらに含む、請求項８９に記載の方法。
【請求項９１】
前記アバットメントを前記歯科インプラントと非回転係合させ、前記アバットメントをそこに、前記内部ボアの前記ねじ切り部分と係合するねじを用いて固定するステップをさらに含む、請求項９０に記載の方法。
【請求項９２】
前記機械加工するステップの前に、前記商用純チタンを冷間加工し、それにより、前記商用純チタンの前記最大抗張力を少なくとも約９００ＭＰａに高めるステップをさらに含む、請求項８０に記載の方法。
【請求項９３】
前記略円筒形本体が、前記略円筒形本体の外側面と前記内部ボアの内側面とによって画定される円周方向延在壁部を含むように機械加工され、前記方法が、前記略円筒形本体の前記近位部分の外部表面内にマイクロねじ山を形成するステップと、前記略円筒形本体の前記反対側にある遠位部分の外部表面内に主ねじ山を形成するステップとをさらに含み、前記マイクロねじ山が、前記円周方向延在壁部の最薄部分を巡って位置する、請求項８０に記載の方法。
【請求項９４】
前記マイクロねじ山が、前記主ねじ山に比べて小さな山−谷距離および大きなねじ山谷径を有し、前記マイクロねじ山の前記山−谷距離が、約０．０５ミリメートルから約０．１ミリメートルの範囲内にあり、前記主ねじ山の前記山−谷距離が、約０．２ミリメートルから約０．５ミリメートルの範囲内にある、請求項９３に記載の方法。
【発明の詳細な説明】
【技術分野】
【０００１】
関連出願の相互参照
本出願は、その各々がここに、参照により本明細書にその全体が組み込まれている、２０１６年３月３０日に出願した米国仮出願第６２／３１５，２７４号および２０１６年７月１３日に出願した米国仮出願第６２／３６１，６６５号の利益および優先権を主張するものである。
【０００２】
本開示は、修復歯科インプラントおよびアバットメントに関し、より詳細には、冷間加工した高強度の商用純チタンから形成された歯科インプラントに関する。
【背景技術】
【０００３】
単歯修復物（例えば歯冠）は、下にある構造（例えば、天然歯プレップ（prep）、アバットメント／インプラント組立体など）上に非回転式に支持されなければならないという、独特な要件を呈する。下にある構造が、プレパレーションした天然歯であるとき、この非回転支持要件は、天然歯に非円形断面を設けるという通常の過程において満たされる。同様に、下にある構造が、歯科インプラントに固定されたアバットメントであるとき、この非回転支持要件は、非円形断面をもつアバットメントを準備および／または使用することによって満たされる。この後者のシナリオは、歯科インプラントとアバットメントとの間のさらなる接続のため、より複雑になることがある。
【０００４】
典型的には、歯科インプラントは、患者の顎の骨（例えば上顎骨および／または下顎骨）内にインプラントされる。多数の設計バージョンが市場に出されてきたが、全体として、これらの組立体内には、（ｉ）エクスターナルコネクション歯科インプラント、および（ｉｉ）インターナルコネクション歯科インプラントの、２つのタイプの歯科インプラント−アバットメントインターフェースがある。エクスターナルコネクション歯科インプラント設計は典型的に、歯科インプラントの上部表面から突き出す６角形ボス（または別の回転防止特徴物）を含み、一方インターナルコネクション歯科インプラント設計は典型的に、下方に歯科インプラントの上部部分内に延在する、６角形ソケット（または別の回転防止特徴物）を含む。どちらの歯科インプラント（例えばエクスターナル／ボスまたはインターナル／ソケット）の場合にも、対応するアバットメントは、歯科インプラントと非回転式に係合し、典型的にはそこに、ねじを用いて固定される。
【０００５】
大多数の修復的状況においては、歯修復物のかつ／またはアバットメントのポストの、中心軸または主軸が、歯科インプラントの中心軸または主軸に対して非ゼロ角度を成す。大多数の患者の生来の解剖学的構造のため、典型的にはそうである。したがって、設置されると、口内で発生する（例えば咀嚼による）自然力が、歯修復物（例えば歯冠）からアバットメントに伝達され、次いで、患者の顎骨内に設置された歯科インプラントに伝達される。歯修復物の中心軸と、歯科インプラントの中心軸との間の角度のため、この力は曲げモーメントも生み出し、それがアバットメントと歯科インプラントを分離させることがあり、それにより、歯科インプラント内への漏れが生じるおそれがある。
【０００６】
アバットメントと歯科インプラントとの間の接続部位にかかるそのような力の悪影響を軽減するための１つの解決策は、角度付き歯科インプラント使用するというものである。角度付き歯科インプラントは典型的に、アバットメントとの接続のための、（例えば水平位置に対して角度の付いた）角度付き合わせ面と、アバットメントを歯科インプラントに対して、歯科インプラントの中心軸または主軸に対してある角度を成して保持するねじを受領するための、（例えば垂直位置に対して角度の付いた）角度付きねじ切りボアとを含む。そのような角度付き歯科インプラントは、（アバットメントと歯科インプラントとの間の）接続部位における自然力の悪影響を軽減する助けとなるが、歯科インプラント内にそのような内部の角度付き特徴物を含めるには一般に、歯科インプラントが、そのような角度付き特徴物をその中に収容するための、比較的より大きなサイズの外側径（例えば６ミリメートル外側径）を有する必要がある。より具体的には、そのような内部の角度付き特徴物を含めると、角度付き歯科インプラントの外側壁部の一部分が、角度付き歯科インプラントを形成する壁部の残りの部分よりもずっと薄い厚さを有する場合がある。したがって、（角度付き歯科インプラントのほんの比較的わずかな部分のところであっても）外側径があまりにも小さい場合、角度付き歯科アバットメントが容易に破断する／折れる／破損する傾向があり得る。これらの制限のため、角度付き歯科インプラントは典型的に、少なくとも４．５ミリメートルの外側径を有するように制限されてきた。しかし、そのような角度付き歯科インプラントは典型的に、上顎骨／下顎骨前方部内で使用するのに適しておらず、というのも、多くの患者における上顎骨／下顎骨前方部は、そのような大きな外側径をもつ歯科インプラントを支持することができないためである。
【発明の概要】
【発明が解決しようとする課題】
【０００７】
したがって、例えば患者の上顎骨／下顎骨前方部内で使用するための、比較的より小さな外側径（例えば３．０ｍｍ、３．２５ｍｍ、３．５ｍｍ、４．０ｍｍなど）をもつ角度付き歯科インプラントの必要性がある。本開示は、これらの問題を解決すること、および他の必要性に対処することを対象とする。
【課題を解決するための手段】
【０００８】
本開示のいくつかの実装形態によれば、歯科インプラントが、略円筒形本体と、内部ボアと、非回転特徴物とを含む。略円筒形本体は、主中心軸を有し、少なくとも約８００ＭＰａの、好ましくは少なくとも約９００ＭＰａの、例えば９２０ＭＰａなどの最大抗張力を有する冷間加工した高強度の商用純チタンから形成される。略円筒形本体は、近位部分、および歯科インプラントを患者の骨内に固定するための、反対側にある遠位部分を有する。内部ボアは、略円筒形本体内に形成され、（ｉ）ボア中心軸、および（ｉｉ）アバットメントを着脱自在保持するように構成されたねじを、歯科インプラントと係合して受領するための、ねじ切り部分を有する。非回転特徴物は、アバットメントと非回転式に係合するように構成される。
【０００９】
本開示のいくつかの実装形態によれば、角度付き歯科インプラントが、略円筒形本体と、内部ボアと、非回転特徴物とを含む。略円筒形本体は、最大外側径および主中心軸を有する。略円筒形本体は、少なくとも約９００ＭＰａの最大抗張力を有する冷間加工した高強度の商用純チタンから形成される。略円筒形本体は、近位部分、および角度付き歯科インプラントを患者の骨内に固定するための、反対側にある遠位部分を有する。内部ボアは、略円筒形本体内に形成され、それにより、略円筒形本体の外側面の少なくとも一部分と内部ボアの内側面の少なくとも一部分とによって画定される、円周方向延在壁部を形成する。内部ボアは、略円筒形本体の主中心軸に対して約７°から約３１°の間の角度を成すボア中心軸を有する。ボア中心軸の相対角度のため、円周方向延在壁部の少なくとも第１の部分が、第１の部分の円周を巡って変化する厚さを有する。円周方向延在壁部の、第１の部分のところの厚さは、略円筒形本体の第１の側に隣接する最薄部分から、略円筒形本体の第２の反対側に隣接する最厚部分まで変化する。内部ボアは、アバットメントを着脱自在保持するように構成されたねじを、角度付き歯科インプラントと係合して受領するための、ねじ切り部分を有する。非回転特徴物は、アバットメントと非回転式に係合するように構成される。略円筒形本体の最大外側径と、第１の部分のところの、略円筒形本体の第１の側に隣接する、円周方向延在壁部の最薄部分との比は、約１６から約８０の間である。
【００１０】
歯科インプラントを作製する方法が、冷間加工した商用純チタンを、主中心軸を有する略円筒形本体に機械加工することを含む。略円筒形本体は、近位部分、および歯科インプラントを患者の骨内に固定するための、反対側にある遠位部分を有する。冷間加工した商用純チタンは、少なくとも約９００ＭＰａの最大抗張力を有する。略円筒形本体内に内部ボアが形成される。内部ボアは、（ｉ）ボア中心軸、および（ｉｉ）ねじ切り部分を含む。略円筒形本体内に、アバットメントと係合するための非回転特徴物が形成される。
【００１１】
本開示のいくつかの実装形態によれば、角度付きザイゴマ歯科インプラントが、略円筒形本体と、内部ボアと、非回転特徴物とを含む。略円筒形本体は、最大外側径および主中心軸を有する。略円筒形本体は、少なくとも約９００ＭＰａの最大抗張力を有する冷間加工した高強度の商用純チタンから形成される。略円筒形本体は、近位部分、中間部分、および角度付きザイゴマ歯科インプラントを患者の骨内に固定するためのねじ切り遠位部分を有する。略円筒形本体は、約２５ミリメートルから約６０ミリメートルの間の長さを有する。内部ボアは、略円筒形本体内に形成され、それにより、略円筒形本体の外側面の少なくとも一部分と内部ボアの内側面の少なくとも一部分とによって画定される、円周方向延在壁部を形成する。内部ボアは、略円筒形本体の主中心軸に対して約４０°から約６５°の間の角度を成すボア中心軸を有する。ボア中心軸の相対角度のため、円周方向延在壁部が最薄部分を有する。内部ボアは、アバットメントを着脱自在保持するように構成されたねじを、角度付きザイゴマ歯科インプラントと係合して受領するための、ねじ切り部分を有する。非回転特徴物は、アバットメントと非回転式に係合するように構成される。略円筒形本体の最大外側径と、円周方向延在壁部の最薄部分との比は、約５０から約７５の間である。
【００１２】
本開示の前述および追加の態様および実装形態は、その簡単な説明が次になされる図面を参照して行われる、さまざまな実施形態および／または実装形態の詳細な説明に鑑みて、当業者に明らかとなろう。
【００１３】
本開示の前述および他の利点は、以下の詳細な説明を読み図面を参照すればすぐに、明らかとなろう。
【図面の簡単な説明】
【００１４】
【図１Ａ】本開示のいくつかの実装形態による、エクスターナルコネクション部の付いたストレートボア歯科インプラントの斜視図である。
【図１Ｂ】図１Ａに示す歯科インプラントの斜視切欠図である。
【図１Ｃ】図１Ａに示す歯科インプラントの部分断面図である。
【図２Ａ】本開示のいくつかの実装形態による、エクスターナルコネクション部の付いた角度付きボア歯科インプラントの斜視図である。
【図２Ｂ】図２Ａに示す歯科インプラントの斜視切欠図である。
【図２Ｃ】図２Ａに示す歯科インプラントの部分断面図である。
【図３Ａ】本開示のいくつかの実装形態による、エクスターナルコネクション部の付いた角度付きボア歯科インプラントの斜視図である。
【図３Ｂ】図３Ａに示す歯科インプラントの斜視切欠図である。
【図３Ｃ】図３Ａに示す歯科インプラントの部分断面図である。
【図４Ａ】本開示のいくつかの実装形態による、エクスターナルコネクション部の付いた角度付きボア歯科インプラントの斜視図である。
【図４Ｂ】図４Ａに示す歯科インプラントの斜視切欠図である。
【図４Ｃ】図４Ａに示す歯科インプラントの部分断面図である。
【図５Ａ】本開示のいくつかの実装形態による、インターナルコネクション部の付いた角度付きボア歯科インプラントの斜視図である。
【図５Ｂ】図５Ａに示す歯科インプラントの斜視切欠図である。
【図５Ｃ】図５Ａに示す歯科インプラントの部分断面図である。
【図６Ａ】本開示のいくつかの実装形態による、アバットメントと、ねじと、エクスターナルコネクション部の付いた角度付きボア歯科インプラントとを含む歯科組立体の、組立後の斜視図である。
【図６Ｂ】図６Ａに示す歯科組立体の組立後の斜視切欠図である。
【図６Ｃ】図６Ａに示す歯科組立体の分解部分断面図である。
【図７Ａ】本開示のいくつかの実装形態による、エクスターナルコネクション部の付いた角度付きボアザイゴマ歯科インプラントの斜視図である。
【図７Ｂ】図７Ａに示すザイゴマ歯科インプラントの斜視切欠図である。
【図７Ｃ】図７Ａに示すザイゴマ歯科インプラントの部分断面図である。
【図８】本開示のいくつかの実装形態による、エクスターナルコネクション部の付いた角度付きボアザイゴマ歯科インプラントの斜視図である。
【図９】本開示のいくつかの実装形態による、エクスターナルコネクション部の付いた角度付きボアザイゴマ歯科インプラントの斜視図である。
【発明を実施するための形態】
【００１５】
本開示は、さまざまな変更形態および代替形態が可能であるが、特定の実施形態が一例として図面に示してあり、それについて本明細書で詳細に説明する。しかし、本開示は、開示した特定の形態に限定されるものではないことを理解されたい。そうではなく、本開示は、添付の特許請求の範囲によって定められる本開示の趣旨および範囲に含まれるあらゆる変更形態、等価物、および代替形態を包含するものである。
【００１６】
本明細書で説明する本開示の歯科インプラントは、少なくとも約９００メガパスカル（ＭＰａ）の最大抗張力を有する冷間加工した高強度の商用純チタンから形成（例えば機械加工）される。最大抗張力とは、材料が伸長または引張されている間、破断に至るまでに耐えることのできる最大応力を指すものである。冷間加工とは、材料がその再結晶温度より下の温度（例えば周囲温度）で成形されることを意味する。そのような成形技法の例としては、絞り、曲げ、引抜き、せん断、圧延、またはそれらの任意の組合せがある。
【００１７】
いくつかの実装形態では、本開示の歯科インプラントは、少なくとも約９００メガパスカル（ＭＰａ）の最大抗張力を有する冷間加工した高強度の商用純チタンから形成される。本開示の歯科インプラントを作製するために使用する材料は、比較的より低い最大抗張力（例えば５５０ＭＰａ）をもつ商用純チタン（例えば、ＡＳＴＭ国際標準ＡＳＴＭ  Ｆ６７によって定義されているグレードＩＶチタン）として開始する。次いで、商用純チタンを冷間加工し、それにより、商用純チタンの最大抗張力が、その初期値から比較的より高い値（例えば８００ＭＰａ、８５０ＭＰａ、９００ＭＰａ、９２０ＭＰａ、９４０ＭＰａ、９６０ＭＰａなど）に高まる。次いで、比較的より高い最大抗張力（例えば９２０ＭＰａ）を有するこの冷間加工した高強度の商用純チタン材料から、本開示の歯科インプラントを機械加工する。したがって、本開示の歯科インプラントは、比較的より低い最大抗張力（例えば４００ＭＰａ）を有する材料から機械加工した歯科インプラントと比べて歯科インプラントの長期性能を犠牲にするおそれなく、比較的より小さなサイズ（例えばより小さな径）を伴って機械加工することが可能である。
【００１８】
図１Ａ〜図１Ｃを全体的に参照すると、歯科インプラント１００が、略円筒形本体１１０と、内部ボア１３０と、非回転特徴物１５０とを含む。略円筒形本体１１０は、上部または近位部分１１２ａと下部または遠位部分１１２ｂとに、概して分割されている。遠位部分１１２ｂは典型的に、歯科インプラント１００を患者の骨内に固定するためのものである。例えば、歯科インプラント１００は、患者の上顎骨または下顎骨内に固定することができる。
【００１９】
近位部分１１２ａは、その外部表面の周りに第１のねじ山１１４ａを含み、遠位部分１１２ｂは、その外部表面の周りに第２のねじ山１１４ｂを含む。いくつかの実装形態では、第１および第２のねじ山１１４ａ、ｂは、同じ（例えば同じピッチ、同じ断面、および／または同じ条数など）であり、いくつかの代替形態では、第１および第２のねじ山１１４ａ、ｂは異なる。例えば、第１のねじ山１１４ａは、３つのねじ山をもつ多条ねじ山であって、各ねじ山が０．６ミリメートルのピッチ（例えば多条ねじ山の隣接する巻回間に０．２ミリメートル）を有する、多条ねじ山とすることができ、第２のねじ山１１４ｂは、０．６ミリメートルのピッチを有する一条ねじ山とすることができる。第１のねじ山１１４ａと第２のねじ山１１４ｂのどちらの上にもある、同じまたは異なるピッチをもつ多条ねじ山など、さまざまな代替ねじ山、ピッチ、および比が企図される。第１および第２のねじ山１１４ａ、ｂは、（例えば歯科インプラント１００の中間付近で）一緒に混ぜ合わされてもよく、独立した別個のものでもよい（例えば接触しない）。いくつかの実装形態では、（近位部分１１２ａの周りの）第１のねじ山１１４ａがマイクロねじ山（ｍｉｃｒｏ  ｔｈｒｅａｄ）１１４ａであり、（遠位部分１１２ｂの周りの）第２のねじ山１１４ｂが主ねじ山（ｍａｉｎ  ｔｈｒｅａｄ）１１４ｂであり、というのも、主ねじ山１１４ｂは、骨とのより深い主要な係合を得るためのものであるためである。そのような実装形態では、マイクロねじ山１１４ａは、主ねじ山１１４ｂの山−谷距離（peak-to-trough distance）およびねじ山谷径（minor thread diameter）と比べて小さな山−谷距離および大きなねじ山谷径を有する。いくつかの例示的実装形態では、第１のねじ山の山−谷距離が、約０．０５ミリメートルから０．１ミリメートルの範囲内にあり、第２のねじ山の山−谷距離が、約０．２ミリメートルから約０．５ミリメートルの範囲内にある。例えば、第１のねじ山の山−谷距離は、約０．０７５ミリメートルであり、第２のねじ山の山−谷距離は、約０．２５ミリメートルである。
【００２０】
略円筒形本体１１０の遠位部分１１２ｂは、歯科インプラント１００の円周を巡って隔置された、第２のねじ山１１４ｂを交差する（例えば中断する）３つの略垂直フルート１１８を含む。フルート１１８は、歯科インプラント１００の設置を、（ｉ）歯科インプラント１００を患者の骨窩内にセルフタッピングすること、および／または（ｉｉ）設置中に歯科インプラント１００を受領する窩洞（例えば骨窩）から材料を取り出すための経路を提供すること、によって助ける。より多数またはより少数のフルート１１８も企図される（例えば１個、２個、４個、５個など）。
【００２１】
略円筒形本体１１０の近位部分１１２ａは、カラー部（collar section）１２０も含む。カラー部１２０は、略円筒形であり、歯科インプラント１００の近位端付近にかつ／または歯科インプラント１００の近位端のところに配置される。カラー部１２０は、第１のねじ山１１４ａをその周りに含まないので、略円筒形本体１１０の近位部分１１２ａの残りの部分とは別個のものである。図１Ａ〜図１Ｃに示すように、カラー部１２０は、第１のねじ山１１４ａの外側径によって画定される近位部分１１２ａの残りの部分の最大外側径Ｄｍａｘ，ｔよりもわずかに大きな、最大外側径Ｄｍａｘ，ｃを有する。あるいは、カラー部１２０の最大外側径Ｄｍａｘ，ｃは、第１のねじ山１１４ａの最大外側径Ｄｍａｘ，ｔ以下である。
【００２２】
本開示全体を通して、さまざまなサイズの歯科インプラントへの言及が行われる。本開示のさまざまな歯科インプラントを特定するために、歯科インプラントは、ある公称サイズを有するものと呼ばれることがある。例えば、公称サイズは一般にまたは公称で、歯科インプラントの最大外側径または幅を指すことがある。この最大外側径は、カラー部１２０の最大外側径Ｄｍａｘ，ｃおよび／または（第１のねじ山１１４ａの内側径とは対照的に）第１のねじ山１１４ａの最大外側径Ｄｍａｘ，ｔを指すことができる。例として、図１Ａ〜図１Ｃに示す歯科インプラント１００は、３．２５ミリメートル歯科インプラントと呼ぶことができ、これは、カラー部１２０の公称最大外側径Ｄｍａｘ，ｃおよび／または第１のねじ山１１４ａの公称最大外側径Ｄｍａｘ，ｔである。公称とは、外側径Ｄｍａｘが約３．２５ミリメートルであり、必ずしも厳密に３．２５ミリメートルであるとは限らないことを意味する。約３．２５ミリメートルとは、寸法が約プラスまたはマイナス０．１ミリメートルの許容差を有することを意味する。
【００２３】
非回転特徴物１５０は一般に、カラー部１２０から突き出ており、内部ボア１３０の（例えば少なくとも内部ボア１３０のねじ切り部分の）外部にある。図示のように、非回転特徴物１５０は、アバットメント（例えば図６Ａ〜図６Ｃに示すアバットメント６７５）の対応する非回転特徴物（例えば図６Ｃに示す非回転特徴物６８５）と非回転式に、非回転嵌め合いすることのできる、６面６角形ボスである。例えば、４面正方形または矩形ボス（図示せず）、５面多角形ボス（図示せず）、１２面多角形／星形ボス（図示せず）、３ピースクローバ形ボス（図示せず）などのような、さまざまな代替非回転特徴物が企図される。
【００２４】
歯科インプラント１００の略円筒形本体１１０は、主中心軸Ｘｍａｉｎを有する。主中心軸Ｘｍａｉｎは、歯科インプラント１００の略円筒形本体１１０の少なくとも遠位部分１１２ｂの幾何学的中心および／または対称軸を通り抜ける、直線軸／直線として画定される。図１Ａ〜図１Ｃに示すように、歯科インプラント１００の主中心軸Ｘｍａｉｎは、歯科インプラント１００の略円筒形本体１１０の近位部分１１２ａの幾何学的中心および／または対称軸も通り抜ける。これは、歯科インプラント１００が、本明細書で説明する角度付きボア歯科インプラントのいくつかとは対照的に、ストレートボア歯科インプラントであるためである。
【００２５】
内部ボア１３０は、歯科インプラント１００の略円筒形本体１１０内に形成される。内部ボア１３０はその中に、（例えば図６Ｃに最もよく示されているように）ねじ（例えば図６Ｂおよび図６Ｃに示すねじ６９０）と螺合式に嵌め合って歯科インプラント１００上にアバットメントを保持するための、めねじ山（ｆｅｍａｌｅ  ｏｒ  ｉｎｔｅｒｎａｌ  ｔｈｒｅａｄ）１３２を含む。内部ボア１３０は、ボア中心軸Ｘｂｏｒｅを有する。ボア中心軸Ｘｂｏｒｅは、歯科インプラント１００の少なくとも内部ボア１３０の幾何学的中心および／または対称軸を通り抜ける、直線軸／直線として画定される。図１Ａ〜図１Ｃに示すように、内部ボア１３０のボア中心軸Ｘｂｏｒｅは、歯科インプラント１００の略円筒形本体１１０の遠位部分１１２ｂの幾何学的中心および／または対称軸も通り抜ける。これは、歯科インプラント１００が、本明細書で説明する角度付きボア歯科インプラントのいくつかとは対照的に、ストレートボア歯科インプラントであるためである。あるいは、ボア中心軸Ｘｂｏｒｅは、主中心軸Ｘｍａｉｎに対して約７°から約３１°の間の角度を成してもよい。例示的に、そのような角度付きボア中心軸を有する歯科インプラントが、例えば、図２Ａ〜図５Ｃに示されており、これについては下でより詳細に説明する。
【００２６】
内部ボア１３０は、略円筒形本体１１０の外側面１１９と内部ボア１３０の内側面１３９とによって画定される、円周方向延在壁部１３５を形成する。円周方向延在壁部１３５は、図１Ｃに最もよく示されているように、最小厚さｔｗ，ｍｉｎおよび最大厚さｔｗ，ｍａｘを有する。円周方向延在壁部１３５の最小および最大厚さｔｗ，ｍｉｎおよびｔｗ，ｍａｘは、歯科インプラント１００のサイズ（例えば３．０径インプラント、３．２５径インプラント、３．５径インプラント、４．０径インプラント、５．０径インプラントなど）、（アバットメントをインプラントに対して保持するために使用されているねじのタイプ／サイズに応じて変わることがある）内部ボア１３０の内側径、第１のねじ山１１４ａのサイズ（例えばピッチ）、めねじ山１３２のサイズ（例えばピッチ）、および／またはボア中心軸Ｘｂｏｒｅの主中心軸Ｘｍａｉｎに相対的な角度（歯科インプラント１００の場合これはゼロである）に応じて変わる。
【００２７】
円周方向延在壁部１３５の最小および最大厚さｔｗ，ｍｉｎおよびｔｗ，ｍａｘは、厚さが測定されている場所（例えば歯科インプラントの高さに沿った垂直位置）に応じても変わる場合があることにも留意されよう。例えば、角度付き歯科インプラントの場合、円周方向延在壁部の、内部ボアの近位端付近のまたは内部ボアの近位端のところの最小厚さｔｗ，ｍｉｎは、円周方向延在壁部の、内部ボアの遠位端付近のまたは内部ボアの遠位端のところの最小厚さｔｗ．ｍｉｎとは異なる。さらに、円周方向延在壁部１３５の厚さは、内部ボアが主中心軸Ｘｍａｉｎに対してある角度を成すため、角度付き歯科インプラントの円周（例えば主中心軸Ｘｍａｉｎの周りの回転位置）を巡って変化し、これについては下で説明し、図２Ａ〜図５Ｃに示す。
【００２８】
歯科インプラント１００の図１Ａ〜図１Ｃに示す例示的実装形態に基づいて、略円筒形本体１１０の最大外側径Ｄｍａｘ，ｃまたはＤｍａｘ，ｔ（例えば３．２５ミリメートルの公称外側径）と、略円筒形本体１１０の円周方向延在壁部１３５の最薄部分（例えば厚さｔｗ．ｍｉｎ）との比は、３．２５ミリメートル／０．５ミリメートルであり、これは６．５に等しい。
【００２９】
次に、図２Ａ〜図２Ｃを参照すると、本明細書で説明し、図１Ａ〜図１Ｃに示す歯科インプラント１００に類似している、略円筒形本体２１０を有する角度付き歯科インプラント２００が示されている。しかし、角度付き歯科インプラント２００は、角度付き歯科インプラント２００のカラー部２２０および内部ボア２３０が、角度付き歯科インプラント２００の主中心軸Ｘｍａｉｎに対して角度付けされているという点で、歯科インプラント１００（図１Ａ〜図１Ｃ）とは概して異なっている。
【００３０】
角度付き歯科インプラント２００は、カラー部２２０の公称最大外側径Ｄｍａｘ，ｃおよび／または第１のねじ山２１４ａの公称最大外側径Ｄｍａｘ，ｔである、３．２５ミリメートル角度付き歯科インプラントと呼ぶことができる。角度付き歯科インプラント２００はさらに、非回転特徴物２５０を含み、これは、非回転特徴物２５０が角度付きカラー部２２０から延在するので非回転特徴物２５０が角度付き歯科インプラント２００の主中心軸Ｘｍａｉｎに対して角度付けされていることを除き、非回転特徴物１５０と同じかまたはそれに類似している。歯科インプラント１００の略円筒形本体１１０と同様に、略円筒形本体２１０は、上部または近位部分２１２ａと下部または遠位部分２１２ｂとに、概して分割されている。近位部分２１２ａは、第１のねじ山２１４ａを含み、遠位部分２１２ｂは、第２のねじ山２１４ｂを含み、これらは、第１および第２のねじ山１１４ａ、ｂと同じかまたはそれに類似している。さらに、遠位部分２１２ｂは、フルート１１８と同じかまたはそれに類似している、３つの略垂直フルート２１８を含む。
【００３１】
角度付き歯科インプラント２００の略円筒形本体２１０は、主中心軸Ｘｍａｉｎを有する。角度付き歯科インプラント２００の主中心軸Ｘｍａｉｎは、（例えば歯科インプラント１００の主中心軸Ｘｍａｉｎと同様に）略円筒形本体２１０の遠位部分２１２ｂの幾何学的中心および／または対称軸を通り抜けるが、角度付き歯科インプラント２００の主中心軸Ｘｍａｉｎは、略円筒形本体２１０の近位部分２１２ａの対称軸を通り抜けない（例えばその対称軸と一致しない）。これは、角度付き歯科インプラント２００の略円筒形本体２１０の近位部分２１２ａが、（１）角度付き歯科インプラント２００の主中心軸Ｘｍａｉｎおよび（２）角度付き歯科インプラント２００の略円筒形本体２１０の残りの部分に対して角度付けおよび／またはオフセットされた、角度付き部分２１３を含むためである。
【００３２】
近位部分２１２ａは、カラー部２２０を含み、これは、カラー部２２０が垂直位置および／または角度付き歯科インプラント２００の主中心軸Ｘｍａｉｎに対して角度付けされているという点で、図１Ａ〜図１Ｃの歯科インプラント１００のカラー部１２０とは異なっている。カラー部２２０は略円筒形であり、角度付き歯科インプラント２００の近位端付近にかつ／または角度付き歯科インプラント２００の近位端のところに配置されている。
【００３３】
内部ボア２３０は、角度付き歯科インプラント２００の略円筒形本体２１０内に形成される。内部ボア２３０はその中に、（例えば図６Ｃに最もよく示されているように）ねじ（例えば図６Ｂおよび図６Ｃに示すねじ６９０）と螺合式に嵌め合って角度付き歯科インプラント２００上にアバットメント（例えば図６Ａ〜図６Ｃに示すアバットメント６７５）を保持するための、めねじ山２３２を含む。内部ボア２３０は、ボア中心軸Ｘｂｏｒｅを有する。内部ボア２３０のボア中心軸Ｘｂｏｒｅは、角度付き歯科インプラント２００の内部ボア２３０の幾何学的中心および／または対称軸を通り抜ける。歯科インプラント１００（図１Ａ〜図１Ｃ）とは異なり、内部ボア２３０のボア中心軸Ｘｂｏｒｅは、角度付き歯科インプラント２００の略円筒形本体２１０の遠位部分２１２ｂの幾何学的中心および／または対称軸を通り抜けない。これは、角度付き歯科インプラント２００が、角度付きボア歯科インプラントであるためである。図２Ｃに示すように、内部ボア２３０のボア中心軸Ｘｂｏｒｅは、角度付き歯科インプラント２００の主中心軸Ｘｍａｉｎに対して角度Θを成す。角度Θは、例えば約７°から約３１°の間など、どんな角度でもよい。図２Ａ〜図２Ｃに示すように、角度Θは約１２°である。
【００３４】
内部ボア１３０と同様に、内部ボア２３０も、略円筒形本体２１０の外側面２１９と内部ボア２３０の内側面２３９とによって画定される、円周方向延在壁部２３５を形成する。円周方向延在壁部２３５は、図２Ｃに最もよく示されているように、最小厚さｔｗ，ｍｉｎおよび最大厚さｔｗ，ｍａｘを有する。円周方向延在壁部２３５の最小および最大厚さｔｗ，ｍｉｎおよびｔｗ，ｍａｘは、角度付き歯科インプラント２００のサイズ（例えば３．０径インプラント、３．２５径インプラント、３．５径インプラント、４．０径インプラント、５．０径インプラントなど）、（アバットメントをインプラントに対して保持するために使用されているねじのタイプ／サイズに応じて変わることがある）内部ボア２３０の内側径、第１のねじ山２１４ａのサイズ（例えばピッチ）、めねじ山２３２のサイズ（例えばピッチ）、および／またはボア中心軸Ｘｂｏｒｅの主中心軸Ｘｍａｉｎに相対的な角度Θ（角度付き歯科インプラント２００の場合これは約１２度である）に応じて変わる。
【００３５】
円周方向延在壁部２３５の最小および最大厚さｔｗ，ｍｉｎおよびｔｗ，ｍａｘは、厚さが測定されている場所（例えば角度付き歯科インプラントの高さに沿った垂直位置）に応じても変わる。例えば、図２Ａ〜図２Ｃの角度付き歯科インプラント２００の場合、円周方向延在壁部２３５の、内部ボア２３０の近位端２３１ａ付近のまたは内部ボア２３０の近位端２３１ａのところの最小厚さｔｗ，ｍｉｎは、円周方向延在壁部２３５の、内部ボア２３０の遠位端２３１ｂ付近のまたは内部ボア２３０の遠位端２３１ｂのところの最小厚さｔｗ．ｍｉｎとは異なっている。一例として、（図２Ａ〜図２Ｃに示す）角度付き歯科インプラント２００は、内部ボア２３０が約１２度の角度Θを有する、３．２５径角度付き歯科インプラント（公称サイズ）である。この図示の例では、円周方向延在壁部２３５の、内部ボア２３０の（例えば線Ａに沿った）遠位端２３１ｂのところのまたはその付近の最小厚さｔｗ．ｍｉｎは、約０．０４ミリメートルであり、これは、角度付き歯科インプラント２００の略円筒形本体２１０の第１の側２１０ａに隣接している。同様に、円周方向延在壁部２３５の、内部ボア２３０の（例えば線Ａ’に沿った）近位端２３１ａのところのまたはその付近の最小厚さｔｗ．ｍｉｎは、約０．４ミリメートルであり、これは、角度付き歯科インプラント２００の略円筒形本体２１０の第２の反対側２１０ｂに隣接している。
【００３６】
上の説明および図２Ａ〜図２Ｃによって理解できるように、円周方向延在壁部２３５の厚さは、内部ボア２３０が主中心軸Ｘｍａｉｎに対して角度Θを成すため、角度付き歯科インプラント２００の円周（例えば主中心軸Ｘｍａｉｎの周りの回転位置）を巡って変化する。図２Ｃに最もよく示されているように、略円筒形本体２１０の、内部ボア２３０の遠位端２３１ｂのところのまたはその付近の水平断面について、円周方向延在壁部２３５の厚さは、（１）内部ボア２３０の遠位端２３１ｂのところのまたはその付近の、第１の側２１０ａに隣接する最小厚さｔｗ．ｍｉｎから、（２）内部ボア２３０の遠位端２３１ｂのところのまたはその付近の、第２の反対側２１０ｂに隣接する最大厚さｔｗ．ｍａｘまで、角度付き歯科インプラント２００の円周を巡って変化する。略円筒形本体２１０の水平断面が、図２Ｃにおいて垂直に上方に（すなわち内部ボア２３０の近位端２３１ａに向かって）移動するにつれて、第１および第２の側２１０ａ、ｂに隣接する、円周方向延在壁部２３５の厚さが、略円筒形本体２１０の水平断面が近位端２３１ａに達するかつ／または接近するまで変化し続け、近位端２３１ａでは、最小厚さｔｗ．ｍｉｎが第１の側２１０ａから第２の反対側２１０ｂに位置が変わり、同様に、最大厚さｔｗ．ｍａｘが、第２の反対側２１０ｂから第１の側２１０ａに位置が変わる。
【００３７】
要約すると、円周方向延在壁部２３５は、円周方向延在壁部２３５の残りの部分に比べて比較的薄い厚さを有する１つまたは複数の部分または部を有する。角度付き歯科インプラント２００が装填される（例えばアバットメントおよび歯冠と結合され、患者の口内で咀嚼目的に使用される）ときにより破断／破損／折れの傾向にあるのは、円周方向延在壁部２３５のこれらの部分である。角度付き歯科インプラント２００を、本明細書で説明する、比較的より高い最大抗張力（例えば９２０ＭＰａ）を有する冷間加工した商用純チタン材料から機械加工することによって、角度付き歯科インプラント２００は、そのような比較的薄い壁部部分を有することが可能である。したがって、本開示の角度付き歯科インプラントは、従来の歯科インプラントと比べて比較的小さな外側径および／または比較的大きな角度Θを伴って機械加工することが可能であり、そのような比較的より小さな角度付き歯科インプラントは、患者の口の、そのようなより小さなサイズの角度付き歯科インプラントを必要とする、例えば上顎骨前方部および／または下顎骨前方部などの領域内に使用することができる。
【００３８】
角度付き歯科インプラント２００の図２Ａ〜図２Ｃに示す例示的実装形態に基づいて、略円筒形本体２１０の最大外側径Ｄｍａｘ，ｃまたはＤｍａｘ，ｔ（例えば３．２５ミリメートルの公称外側径）と、略円筒形本体２１０の第１の側２１０ａに隣接する、円周方向延在壁部２３５の最薄部分（例えば厚さｔｗ．ｍｉｎ）との比は、３．２５ミリメートル／０．０４ミリメートルであり、これは８１．２５に等しい。
【００３９】
次に、図３Ａ〜図３Ｃを参照すると、本明細書で説明し、図２Ａ〜図２Ｃに示す角度付き歯科インプラント２００に類似している、角度付き歯科インプラント３００が示されている。しかし、角度付き歯科インプラント３００は、角度付き歯科インプラント３００が一般に、カラー部３２０の公称最大外側径Ｄｍａｘ，ｃおよび／または第１のねじ山３１４ａの公称最大外側径Ｄｍａｘ，ｔである４．０ミリメートル角度付き歯科インプラントと呼ばれるという点で、角度付き歯科インプラント２００とは概して異なっている。
【００４０】
角度付き歯科インプラント３００は、略円筒形本体３１０と、角度付き部分３１３と、カラー部３２０と、内部ボア３３０と、非回転特徴物３５０と、近位部分３１２ａと、遠位部分３１２ｂと、第１のねじ山３１４ａと、第２のねじ山３１４ｂと、フルート３１８と、主中心軸Ｘｍａｉｎと、ボア中心軸Ｘｂｏｒｅと、円周方向延在壁部３３５とを含み、これらは、角度付き歯科インプラント２００の略円筒形本体２１０、角度付き部分２１３、カラー部２２０、内部ボア２３０、非回転特徴物２５０、近位部分２１２ａ、遠位部分２１２ｂ、第１のねじ山２１４ａ、第２のねじ山２１４ｂ、フルート２１８、主中心軸Ｘｍａｉｎ、ボア中心軸Ｘｂｏｒｅ、および円周方向延在壁部２３５と同じかまたはそれに類似している。
【００４１】
角度付き歯科インプラント２００と３００との間の主な差異は、円周方向延在壁部２３５と３３５の厚さであり、これは、少なくとも一部には、角度付き歯科インプラント２００の外側径と角度付き歯科インプラント３００の外側径との間の差異によって生じている。図３Ａ〜図３Ｃに示すように、円周方向延在壁部３３５は、略円筒形本体３１０の外側面３１９と内部ボア３３０の内側面３３９とによって画定される。円周方向延在壁部３３５は、図３Ｃに最もよく示されているように、最小厚さｔｗ，ｍｉｎおよび最大厚さｔｗ，ｍａｘを有する。円周方向延在壁部３３５の、内部ボア３３０の近位端３３１ａ付近のまたは内部ボア３３０の近位端３３１ａのところの最小厚さｔｗ，ｍｉｎは、円周方向延在壁部３３５の、内部ボア３３０の遠位端３３１ｂ付近のまたは内部ボア３３０の遠位端３３１ｂのところの最小厚さｔｗ．ｍｉｎとは異なっている。一例として、（図３Ａ〜図３Ｃに示す）角度付き歯科インプラント３００は、内部ボア３３０が約１２度の角度Θを有する、４．０径角度付き歯科インプラント（公称サイズ）である。この図示の例では、円周方向延在壁部３３５の、内部ボア３３０の（例えば線Ｂに沿った）遠位端３３１ｂのところのまたはその付近の最小厚さｔｗ．ｍｉｎは、約０．２ミリメートルであり、これは、角度付き歯科インプラント３００の略円筒形本体３１０の第１の側３１０ａに隣接している。同様に、円周方向延在壁部３３５の、内部ボア３３０の（例えば線Ｂ’に沿った）近位端３３１ａのところのまたはその付近の最小厚さｔｗ．ｍｉｎは、約０．７ミリメートルであり、これは、角度付き歯科インプラント３００の略円筒形本体３１０の第２の反対側３１０ｂに隣接している。
【００４２】
さらに、上の説明および図３Ａ〜図３Ｃによって理解できるように、円周方向延在壁部３３５の厚さは、内部ボア３３０が主中心軸Ｘｍａｉｎに対して角度Θを成すため、角度付き歯科インプラント３００の円周（例えば主中心軸Ｘｍａｉｎの周りの回転位置）を巡って変化する。図３Ｃに最もよく示されているように、略円筒形本体３１０の、内部ボア３３０の遠位端３３１ｂのところのまたはその付近の水平断面について、円周方向延在壁部３３５の厚さは、（１）内部ボア３３０の遠位端３３１ｂのところのまたはその付近の、第１の側３１０ａに隣接する最小厚さｔｗ．ｍｉｎから、（２）内部ボア３３０の遠位端３３１ｂのところのまたはその付近の、第２の反対側３１０ｂに隣接する最大厚さｔｗ．ｍａｘまで、角度付き歯科インプラント３００の円周を巡って変化する。
【００４３】
角度付き歯科インプラント３００の図３Ａ〜図３Ｃに示す例示的実装形態に基づいて、（ｉ）略円筒形本体３１０の最大外側径Ｄｍａｘ，ｃまたはＤｍａｘ，ｔ（例えば４．０ミリメートルの公称外側径）と、（ｉｉ）略円筒形本体３１０の第１の側３１０ａに隣接する、円周方向延在壁部３３５の最薄部分（例えば厚さｔｗ．ｍｉｎ）との比は、４．０ミリメートル／０．２ミリメートルであり、これは２０に等しい。
【００４４】
次に図４Ａ〜図４Ｃを参照すると、本明細書で説明し、図３Ａ〜図３Ｃに示す角度付き歯科インプラント３００に類似している、角度付き歯科インプラント４００が示されている。しかし、角度付き歯科インプラント４００は、角度付き歯科インプラント４００が、角度付き歯科インプラント３００（図３Ａ〜図３Ｃ）のボア中心軸Ｘｂｏｒｅの約１２度の角度とは対照的に、角度付き歯科インプラント４００の主中心軸Ｘｍａｉｎに対して約２４度の角度Θを成すボア中心軸Ｘｂｏｒｅをもつ内部ボア４３０を含むという点で、角度付き歯科インプラント３００とは概して異なっている。さらに、角度付き歯科インプラント４００は一般に、カラー部４２０の公称最大外側径Ｄｍａｘ，ｃおよび／または第１のねじ山４１４ａの公称最大外側径Ｄｍａｘ，ｔである４．０ミリメートル角度付き歯科インプラントと呼ばれる。
【００４５】
角度付き歯科インプラント４００は、略円筒形本体４１０と、角度付き部分４１３と、カラー部４２０と、内部ボア４３０と、非回転特徴物４５０と、近位部分４１２ａと、遠位部分４１２ｂと、第１のねじ山４１４ａと、第２のねじ山４１４ｂと、フルート４１８と、主中心軸Ｘｍａｉｎと、ボア中心軸Ｘｂｏｒｅと、円周方向延在壁部４３５とを含み、これらは、角度付き歯科インプラント３００の略円筒形本体３１０、角度付き部分３１３、カラー部３２０、内部ボア３３０、非回転特徴物３５０、近位部分３１２ａ、遠位部分３１２ｂ、第１のねじ山３１４ａ、第２のねじ山３１４ｂ、フルート３１８、主中心軸Ｘｍａｉｎ、ボア中心軸Ｘｂｏｒｅ、および円周方向延在壁部３３５と同じかまたはそれに類似している。
【００４６】
角度付き歯科インプラント３００と４００との間の主な差異は、円周方向延在壁部３３５と４３５の厚さであり、これは、少なくとも一部には、角度付き歯科インプラント３００と４００の角度Θ間の差異（例えば約１２度対約２４度）によって生じている。図４Ａ〜図４Ｃに示すように、円周方向延在壁部４３５は、略円筒形本体４１０の外側面４１９と内部ボア４３０の内側面４３９とによって画定される。円周方向延在壁部４３５は、図４Ｃに最もよく示されているように、最小厚さｔｗ，ｍｉｎおよび最大厚さｔｗ，ｍａｘを有する。円周方向延在壁部４３５の、内部ボア４３０の近位端４３１ａ付近のまたは内部ボア４３０の近位端４３１ａのところの最小厚さｔｗ，ｍｉｎは、円周方向延在壁部４３５の、内部ボア４３０の遠位端４３１ｂ付近のまたは内部ボア４３０の遠位端４３１ｂのところの最小厚さｔｗ．ｍｉｎとは異なっている。一例として、（図４Ａ〜図４Ｃに示す）角度付き歯科インプラント４００は、内部ボア４３０が約２４度の角度Θを有する、４．０径角度付き歯科インプラント（公称サイズ）である。この図示の例では、円周方向延在壁部４３５の、内部ボア４３０の（例えば線Ｃに沿った）遠位端４３１ｂのところのまたはその付近の最小厚さｔｗ．ｍｉｎは、約０．１４ミリメートルであり、これは、角度付き歯科インプラント４００の略円筒形本体４１０の第１の側４１０ａに隣接している。同様に、円周方向延在壁部４３５の、内部ボア４３０の（例えば線Ｃ’に沿った）近位端４３１ａのところのまたはその付近の最小厚さｔｗ．ｍｉｎは、約０．４ミリメートルであり、これは、角度付き歯科インプラント４００の略円筒形本体４１０の第２の反対側４１０ｂに隣接している。
【００４７】
さらに、上の説明および図４Ａ〜図４Ｃによって理解できるように、円周方向延在壁部４３５の厚さは、内部ボア４３０が主中心軸Ｘｍａｉｎに対して角度Θを成すため、角度付き歯科インプラント４００の円周（例えば主中心軸Ｘｍａｉｎの周りの回転位置）を巡って変化する。図４Ｃに最もよく示されているように、略円筒形本体４１０の、内部ボア４３０の遠位端４３１ｂのところのまたはその付近の水平断面について、円周方向延在壁部４３５の厚さは、（１）内部ボア４３０の遠位端４３１ｂのところのまたはその付近の、第１の側４１０ａに隣接する最小厚さｔｗ．ｍｉｎから、（２）内部ボア４３０の遠位端４３１ｂのところのまたはその付近の、第２の反対側４１０ｂに隣接する最大厚さｔｗ．ｍａｘまで、角度付き歯科インプラント４００の円周を巡って変化する。
【００４８】
角度付き歯科インプラント４００の図４Ａ〜図４Ｃに示す例示的実装形態に基づいて、（ｉ）略円筒形本体４１０の最大外側径Ｄｍａｘ，ｃまたはＤｍａｘ，ｔ（例えば４．０ミリメートルの公称外側径）と、（ｉｉ）略円筒形本体４１０の第１の側４１０ａに隣接する円周方向延在壁部４３５の最薄部分（例えば厚さｔｗ．ｍｉｎ）との比は、４．０ミリメートル／０．１４ミリメートルであり、これは２８．６に等しい。
【００４９】
次に図５Ａ〜図５Ｃを参照すると、本明細書で説明し、図２Ａ〜図４Ｃに示す角度付き歯科インプラント２００、３００、４００に類似している、角度付き歯科インプラント５００が示されている。しかし、角度付き歯科インプラント５００は、角度付き歯科インプラント５００が、非回転特徴物２５０、３５０、４５０のような外部ボスではなく非回転特徴物５５０としての内部ソケットの付いた、インターナルコネクション角度付き歯科インプラントであるという点で、他の角度付き歯科インプラント２００、３００、４００とは概して異なっている。
【００５０】
角度付き歯科インプラント５００は、角度付き歯科インプラント５００の主中心軸Ｘｍａｉｎに対して約１２度の角度Θを成すボア中心軸Ｘｂｏｒｅをもつ内部ボア５３０を含む。さらに、角度付き歯科インプラント５００は一般に、カラー部５２０の公称最大外側径Ｄｍａｘ，ｃおよび／または第１のねじ山５１４ａの公称最大外側径Ｄｍａｘ，ｔである３．５ミリメートル角度付き歯科インプラントと呼ばれる。
【００５１】
角度付き歯科インプラント５００は、略円筒形本体５１０と、角度付き部分５１３と、カラー部５２０と、内部ボア５３０と、近位部分５１２ａと、遠位部分５１２ｂと、第１のねじ山５１４ａと、第２のねじ山５１４ｂと、フルート５１８と、主中心軸Ｘｍａｉｎと、ボア中心軸Ｘｂｏｒｅと、円周方向延在壁部５３５とを含み、これらは、角度付き歯科インプラント２００の略円筒形本体２１０、角度付き部分２１３、カラー部２２０、内部ボア２３０、近位部分２１２ａ、遠位部分２１２ｂ、第１のねじ山２１４ａ、第２のねじ山２１４ｂ、フルート２１８、主中心軸Ｘｍａｉｎ、ボア中心軸Ｘｂｏｒｅ、および円周方向延在壁部２３５と同じかまたはそれに類似している。
【００５２】
角度付き歯科インプラント２００と５００との間の主な差異は、非回転特徴物２５０、５５０、ならびに円周方向延在壁部２３５および５３５の厚さであり、これは、少なくとも一部には、（１）非回転特徴物２５０、５５０の差異、および（２）角度付き歯科インプラント２００の外側径と角度付き歯科インプラント５００の外側径との間の差異によって生じている。図５Ａ〜図５Ｃに示すように、円周方向延在壁部５３５は、略円筒形本体５１０の外側面５１９と内部ボア５３０の内側面５３９とによって画定される。円周方向延在壁部５３５は、図５Ｃに最もよく示されているように、最小厚さｔｗ，ｍｉｎおよび最大厚さｔｗ，ｍａｘを有する。円周方向延在壁部５３５の、内部ボア５３０の近位端５３１ａ付近のまたは内部ボア５３０の近位端５３１ａのところの最小厚さｔｗ，ｍｉｎは、円周方向延在壁部５３５の、内部ボア５３０の遠位端５３１ｂ付近のまたは内部ボア５３０の遠位端５３１ｂのところの最小厚さｔｗ．ｍｉｎとは異なっている。一例として、（図５Ａ〜図５Ｃに示す）角度付き歯科インプラント５００は、内部ボア５３０が約１２度の角度Θを有する、３．５ミリメートル径角度付き歯科インプラント（公称サイズ）である。この図示の例では、円周方向延在壁部５３５の、内部ボア５３０の（例えば線Ｄに沿った）近位端５３１ａのところのまたはその付近の最小厚さｔｗ．ｍｉｎは、約０．１５ミリメートルであり、これは、角度付き歯科インプラント５００の略円筒形本体５１０の第１の側５１０ａに隣接している。同様に、円周方向延在壁部５３５の、内部ボア５３０の（例えば線Ｄ’に沿った）遠位端５３１ｂのところのまたはその付近の最小厚さｔｗ．ｍｉｎは、約０．３２ミリメートルであり、これは、角度付き歯科インプラント５００の略円筒形本体５１０の第２の反対側５１０ｂに隣接している。
【００５３】
さらに、上の説明および図５Ａ〜図５Ｃによって理解できるように、円周方向延在壁部５３５の厚さは、内部ボア５３０が主中心軸Ｘｍａｉｎに対して角度Θを成すため、角度付き歯科インプラント５００の円周（例えば主中心軸Ｘｍａｉｎの周りの回転位置）を巡って変化する。図５Ｃに最もよく示されているように、略円筒形本体５１０の、内部ボア５３０の近位端５３１ａのところのまたはその付近の水平断面について、円周方向延在壁部５３５の厚さは、（１）内部ボア５３０の近位端５３１ａのところのまたはその付近の、第１の側５１０ａに隣接する最小厚さｔｗ．ｍｉｎから、（２）内部ボア５３０の近位端５３１ａのところのまたはその付近の、第２の反対側５１０ｂに隣接する最大厚さｔｗ．ｍａｘまで、角度付き歯科インプラント５００の円周を巡って変化する。
【００５４】
角度付き歯科インプラント５００の図５Ａ〜図５Ｃに示す例示的実装形態に基づいて、（ｉ）略円筒形本体５１０の最大外側径Ｄｍａｘ，ｃまたはＤｍａｘ，ｔ（例えば３．５ミリメートルの公称外側径）と、（ｉｉ）略円筒形本体５１０の第１の側５１０ａに隣接する、円周方向延在壁部５３５の最薄部分（例えば厚さｔｗ．ｍｉｎ）との比は、３．５ミリメートル／０．１５ミリメートルであり、これは２３．３に等しい。
【００５５】
次に図６Ａ〜図６Ｃを参照すると、歯科組立体６０１が、角度付き歯科インプラント６００と、アバットメント６７５と、ねじ６９０とを含む。角度付き歯科インプラント６００は、本明細書で説明する角度付き歯科インプラント２００、３００、４００、５００と同じかまたはそれに類似している。
【００５６】
アバットメント６７５は、ポスト６８０と、ポスト６８０から相対的下向き方向に延在するステム６８２とを含む。ポスト６８０は、その上にある修復物（例えば歯冠）を支持するようなサイズおよび形状である。アバットメント６７５が角度付き歯科インプラント６００に（例えばねじ６９０によって）結合されたときにそれに対して回転するのが妨げられるように、ステム６８２は、角度付き歯科インプラント６００の非回転特徴物６５０と非回転式に係合するための非回転特徴物６８５を含んでよい。
【００５７】
アバットメント６７５は、ポスト６８０およびステム６８２の中を延在してねじ６９０がその中に差し込まれるのを可能にする、貫通ボア６８８を含む。図６Ｂに最もよく示されているように、ねじ６９０は、アバットメント６７５の貫通ボア６８８に差し込まれて、角度付き歯科インプラント６００の内部ボア６３０のめねじ山６３２と螺合可能に係合する。
【００５８】
角度付き歯科インプラント６００が角度付き部分６１３を有するため、解剖学的歯修復を実現するためにアバットメント６７５のポスト６８０がアバットメント６７５の基部６７８に対して角度付けされる必要はない。
【００５９】
次に図７Ａ〜図７Ｃを参照すると、本明細書で説明し、図２Ａ〜図２Ｃに示す角度付き歯科インプラント２００に類似している、角度付き歯科インプラント７００が示されている。しかし、角度付き歯科インプラント７００は、角度付き歯科インプラント７００が、非ザイゴマ角度付き歯科インプラント（例えば歯科インプラント２００、３００、４００、５００）よりも大幅に長い角度付きザイゴマ歯科インプラントであり、それによって、角度付きザイゴマ歯科インプラント７００を、患者の口内の、患者の上顎骨の頬骨付近に設置できるようになっているという点で、角度付き歯科インプラント２００とは概して異なっている。ザイゴマ歯科インプラントは、非ザイゴマ歯科インプラントまたはより従来的な歯科インプラント（例えば歯科インプラント２００、３００、４００、５００）の設置に必要な窩を設けることのできない、顎骨が吸収されたかつ／または劣化した患者（例えばがん患者）にとって必要となる場合がある。いくつかの実装形態では、１つまたは複数のザイゴマ歯科インプラントが、患者の口内に（１つまたは複数の非ザイゴマ歯科インプラントと共にまたはそれなしで）設置され、１つまたは複数のアバットメント、ブリッジ、バー、補綴歯、アタッチメント部材、またはそれらの任意の組合せ（例えば補綴歯を含むブリッジ）に結合される。
【００６０】
角度付きザイゴマ歯科インプラント７００は一般に、４．５ミリメートルザイゴマ角度付き歯科インプラントと呼ばれ、ここで、４．５ミリメートルとは、カラー部７２０の公称最大外側径Ｄｍａｘ，ｃおよび／または第１のねじ山７１４ａの公称最大外側径Ｄｍａｘ，ｔであり、ザイゴマとは、歯科インプラント７００が、約２０ミリメートルから約７０ミリメートルの間の長さＬを有することを意味し、より具体的には、ザイゴマとは、歯科インプラント７００が、約２５ミリメートルから約６０ミリメートルの間の長さＬを有することを意味することができる。いくつかの実装形態では、ザイゴマとは、歯科インプラント７００が、約２５ミリメートルの、約３０ミリメートルの、約３５ミリメートルの、約４０ミリメートルの、約４５ミリメートルの、約５０ミリメートルの、約５５ミリメートルの、約６０ミリメートルの、約６５ミリメートルの、約７０ミリメートルの長さを有することを意味する。角度付きザイゴマ歯科インプラント７００のそのような長さＬは、非ザイゴマ角度付き歯科インプラント（例えば角度付き歯科インプラント２００、３００、４００、５００）よりも大幅に長く、非ザイゴマ角度付き歯科インプラントは典型的に、約７ミリメートルから約１８ミリメートルの間の長さを有し、より具体的には、非ザイゴマ角度付き歯科インプラントは、約８ミリメートルから約１５ミリメートルの間の長さを有する。
【００６１】
角度付きザイゴマ歯科インプラント７００はさらに、角度付きザイゴマ歯科インプラント７００が、略円筒形本体７１０の近位部分７１２ａと略円筒形本体７１０の遠位部分７１２ｂとの間に、略円筒形本体７１０の非ねじ切り中間部分７１２ｃを含むという点で、角度付き歯科インプラント２００とは異なっている。非ねじ切り中間部分７１２ｃは、角度付きザイゴマ歯科インプラント７００の全長の約２０パーセントから約７０パーセントの間の長さを有し、より好ましくは、非ねじ切り中間部分７１２ｃは、角度付きザイゴマ歯科インプラント７００の全長の約３５パーセントから約５５パーセントの間の長さを有する。いくつかの実装形態では、非ねじ切り中間部分７１２ｃは、角度付きザイゴマ歯科インプラント７００の全長の約４５パーセントの長さを有する。
【００６２】
角度付きザイゴマ歯科インプラント７００はさらに、角度付きザイゴマ歯科インプラント７００が、角度付きザイゴマ歯科インプラント７００の主中心軸Ｘｍａｉｎに対して角度Θを成す内部ボア７３０のボア中心軸Ｘｂｏｒｅを有し、ここで、角度Θは、例えば約７°から約６５°の間、または約４０°から約６５°の間など、どんな角度でもよいという点で、角度付き歯科インプラント２００とは異なっている。図７Ａ〜図７Ｃに示すように、角度Θは約５５°である。
【００６３】
角度付きザイゴマ歯科インプラント７００は、略円筒形本体７１０と、角度付き部分７１３と、カラー部７２０と、内部ボア７３０と、非回転特徴物７５０と、近位部分７１２ａと、遠位部分７１２ｂと、第１のねじ山７１４ａと、第２のねじ山７１４ｂと、フルート７１８と、主中心軸Ｘｍａｉｎと、ボア中心軸Ｘｂｏｒｅと、円周方向延在壁部７３５とを含み、これらは、角度付き歯科インプラント２００の略円筒形本体２１０、角度付き部分２１３、カラー部２２０、内部ボア２３０、非回転特徴物２５０、近位部分２１２ａ、遠位部分２１２ｂ、第１のねじ山２１４ａ、第２のねじ山２１４ｂ、フルート２１８、主中心軸Ｘｍａｉｎ、ボア中心軸Ｘｂｏｒｅ、および円周方向延在壁部２３５と同じかまたはそれに類似している。
【００６４】
図７Ａ〜図７Ｃに示すように、円周方向延在壁部７３５は、略円筒形本体７１０の外側面７１９と内部ボア７３０の内側面７３９とによって画定される。円周方向延在壁部７３５は、図７Ｃに最もよく示されているように、最小厚さｔｗ，ｍｉｎを有する。円周方向延在壁部７３５の最小厚さｔｗ，ｍｉｎは、内部ボア７３０の遠位端７３１付近または内部ボア７３０の遠位端７３１のところにある。一例として、（図７Ａ〜図７Ｃに示す）角度付きザイゴマ歯科インプラント７００は、内部ボア７３０が約５５度の角度Θを有する、４．５径角度付きザイゴマ歯科インプラント（公称サイズ）である。この図示の例では、円周方向延在壁部７３５の、内部ボア７３０の（例えば線Ｅに沿った）遠位端７３１のところのまたはその付近の最小厚さｔｗ．ｍｉｎは、約０．０８ミリメートルであり、これは、角度付き歯科インプラント７００の略円筒形本体７１０の第１の側７１０ａに隣接している。
【００６５】
さらに、上の説明および図７Ａ〜図７Ｃによって理解できるように、円周方向延在壁部７３５の厚さは、内部ボア７３０が主中心軸Ｘｍａｉｎに対して角度Θを成すため、角度付きザイゴマ歯科インプラント７００の円周（例えば主中心軸Ｘｍａｉｎの周りの回転位置）を巡って変化する。図７Ｃに最もよく示されているように、略円筒形本体７１０の、内部ボア７３０の遠位端７３１のところのまたはその付近の水平断面について、円周方向延在壁部７３５の厚さは、（１）内部ボア７３０の遠位端７３１のところのまたはその付近の、第１の側７１０ａに隣接する最小厚さｔｗ．ｍｉｎから、（２）内部ボア７３０の遠位端７３１のところのまたはその付近の、第２の反対側７１０ｂに隣接する比較的より大きな厚さおよび／または最大厚さまで、角度付き歯科インプラント７００の円周を巡って変化する。
【００６６】
角度付きザイゴマ歯科インプラント７００の図７Ａ〜図７Ｃに示す例示的実装形態に基づいて、（ｉ）略円筒形本体７１０の最大外側径Ｄｍａｘ，ｃまたはＤｍａｘ，ｔ（例えば４．５ミリメートルの公称外側径）と、（ｉｉ）略円筒形本体７１０の第１の側７１０ａに隣接する、円周方向延在壁部７３５の最薄部分（例えば厚さｔｗ．ｍｉｎ）との比は、４．５ミリメートル／０．０８ミリメートルであり、これは５６．２５に等しい。
【００６７】
略円筒形本体７１０の近位部分７１２ａは、略円筒形本体７１０の非ねじ切り中間部分７１２ｃの最大外側径および略円筒形本体７１０の遠位部分７１２ｂの最大外側径よりも比較的大きな、最大外側径を有する。例えば、図示のように、（ｉ）ねじ切り近位部分７１２ａの最大外側径は約４．３ミリメートルであり、（ｉｉ）ねじ切り遠位部分７１２ｂの最大外側径および非ねじ切り中間部分７１２ｃの最大外側径は、約３．２ミリメートルから約４ミリメートルの間である。あるいは、ねじ切り遠位部分７１２ｂの最大外側径および非ねじ切り中間部分７１２ｃの最大外側径は、ねじ切り近位部分７１２ａの最大外側径と同じかまたはほぼ同じである。
【００６８】
次に図８を参照すると、本明細書で説明し、図７Ａ〜図７Ｃに示す角度付きザイゴマ歯科インプラント７００に類似している、角度付きザイゴマ歯科インプラント８００が示されている。しかし、角度付きザイゴマ歯科インプラント８００は、角度付きザイゴマ歯科インプラント８００が非ねじ切り中間部分を欠いているという点で、角度付きザイゴマ歯科インプラント７００とは概して異なっている。そうではなく、角度付きザイゴマ歯科インプラント８００は、略円筒形本体８１０の近位または上部ねじ切り部分８１２ａと、略円筒形本体８１０の遠位または下部ねじ切り部分８１２ｂと、略円筒形本体８１０の中間ねじ切り部分８１２ｃとを有する、略円筒形本体８１０を含み、この場合、単一の一定したねじ山８１４が、遠位、中間、および近位部分８１２ａ、ｂ、ｃに巻き付けられている。あるいは、ねじ山８１４は、略円筒形本体８１０の長さに沿って変化してもよい（例えばピッチ、深さなどが変化してもよい）。
【００６９】
角度付きザイゴマ歯科インプラント８００は一般に、３．５ミリメートルザイゴマ角度付き歯科インプラントと呼ばれ、ここで、３．５ミリメートルとは、カラー部８２０の公称最大外側径Ｄｍａｘ，ｃおよび／またはねじ山８１４の公称最大外側径Ｄｍａｘ，ｔである。角度付きザイゴマ歯科インプラント８００は、略円筒形本体８１０と、角度付き部分８１３と、カラー部８２０と、内部ボア８３０と、非回転特徴物８５０と、近位部分８１２ａと、遠位部分８１２ｂと、フルート８１８と、主中心軸Ｘｍａｉｎと、ボア中心軸Ｘｂｏｒｅと、円周方向延在壁部８３５とを含み、これらは、角度付きザイゴマ歯科インプラント７００の略円筒形本体７１０、角度付き部分７１３、カラー部７２０、内部ボア７３０、非回転特徴物７５０、近位部分７１２ａ、遠位部分７１２ｂ、フルート７１８、主中心軸Ｘｍａｉｎ、ボア中心軸Ｘｂｏｒｅ、および円周方向延在壁部７３５と同じかまたはそれに類似している。
【００７０】
次に図９を参照すると、本明細書で説明し、図７Ａ〜図８に示す角度付きザイゴマ歯科インプラント７００、８００に類似している、角度付きザイゴマ歯科インプラント９００が示されている。しかし、角度付きザイゴマ歯科インプラント９００は、角度付きザイゴマ歯科インプラント９００がねじ切り近位部分を欠いているという点で、角度付きザイゴマ歯科インプラント７００、８００とは概して異なっている。そうではなく、角度付きザイゴマ歯科インプラント９００は、略円筒形本体９１０の近位または上部非ねじ切り部分９１２ａと、略円筒形本体９１０の中間非ねじ切り部分９１２ｃと、略円筒形本体９１０の遠位または下部ねじ切り部分９１２ｂとを有する、略円筒形本体９１０を含む。
【００７１】
単一の一定したねじ山９１４が、遠位部分９１２ｂに巻き付けられている。図示のように、近位および中間部分９１２ａ、ｃの最大外側径は、ねじ切り遠位部分９１２ｂの谷径に等しいかまたはほぼ等しい。あるいは、近位および中間部分９１２ａ、ｃの最大外側径は、ねじ切り遠位部分９１２ｂの外径（major diameter）に等しいかまたはほぼ等しい。
【００７２】
非ねじ切り近位部分９１２ａと非ねじ切り中間部分９１２ｃとを合わせた長さは、角度付きザイゴマ歯科インプラント９００の全長の約２０パーセントから約８５パーセントの間であり、より好ましくは、非ねじ切り近位部分９１２ａと非ねじ切り中間部分９１２ｃとを合わせた長さは、角度付きザイゴマ歯科インプラント９００の全長の約３５パーセントから約７０パーセントの間である。いくつかの実装形態では、非ねじ切り近位部分９１２ａと非ねじ切り中間部分９１２ｃとを合わせた長さは、角度付きザイゴマ歯科インプラント９００の全長の約６０パーセントである。いくつかの実装形態では、非ねじ切り近位部分９１２ａと非ねじ切り中間部分９１２ｃとを合わせた長さは、角度付きザイゴマ歯科インプラント９００の全長の約３０パーセントである。
【００７３】
角度付きザイゴマ歯科インプラント９００は一般に、３．５ミリメートルザイゴマ角度付き歯科インプラントと呼ばれ、ここで、３．５ミリメートルとは、カラー部９２０の公称最大外側径Ｄｍａｘ，ｃである。角度付きザイゴマ歯科インプラント９００は、略円筒形本体９１０と、角度付き部分９１３と、カラー部９２０と、内部ボア９３０と、非回転特徴物９５０と、中間部分９１２ｃと、遠位部分９１２ｂと、フルート９１８と、主中心軸Ｘｍａｉｎと、ボア中心軸Ｘｂｏｒｅと、円周方向延在壁部９３５とを含み、これらは、角度付きザイゴマ歯科インプラント７００の略円筒形本体７１０、角度付き部分７１３、カラー部７２０、内部ボア７３０、非回転特徴物７５０、中間部分７１２ｃ、遠位部分７１２ｂ、フルート７１８、主中心軸Ｘｍａｉｎ、ボア中心軸Ｘｂｏｒｅ、および円周方向延在壁部７３５と同じかまたはそれに類似している。
【００７４】
さまざまな歯科インプラントについては、ある特定の最大外側径（例えば歯科インプラントの公称サイズ）、ある特定の長さ、ある特定のねじ切り部分、ある特定の非ねじ切り部分、ある特定の接続タイプ、およびある特定の角度をもつ内部ボアを有するものとして、本明細書で説明し、図に示しており、それらはいずれも、本開示のさまざまな歯科インプラントがその円周方向延在壁部（例えば円周方向延在壁部２３５）の測定可能な最薄部分を有するのに寄与することのできるものである。以下の表は、歯科インプラント（例えばストレート歯科インプラント、角度付き歯科インプラント、ザイゴマ歯科インプラント）と、それらの壁部の最薄部分、および歯科インプラントの最大外側径（例えば公称サイズ）と壁部の最薄部分との比の例を示す。
【００７５】
【表１】
2019509851.tif 000003
【００７６】
本開示の歯科インプラントについては、冷間加工した高強度の商用純（例えばグレードＩＶ）チタンから機械加工されると説明しているが、いくつかの代替実装形態では、本開示の歯科インプラントは、例えばチタンと次の材料、バナジウム、アルミニウム、ニオブ、ジルコニウム、クロム、またはそれらの任意の組合せのうちの１種または複数種との合金など、１種または複数種のチタン合金から機械加工することができる。いくつかの代替実装形態では、本開示の歯科インプラントは、約９０％のチタン、約６％のアルミニウム、および約４％のバナジウムを含有するチタン合金から機械加工される。他のいくつかの代替実装形態では、本開示の歯科インプラントは、約８６％のチタンおよび約１４％のジルコニウムを含有するチタン合金から機械加工される。さらに他のいくつかの代替実装形態では、本開示の歯科インプラントは、約８３％のチタンおよび約１７％のジルコニウムを含有するチタン合金から機械加工される。説明したチタン−ジルコニウム合金のうちの１つを使用するそのような実装形態では、チタン−ジルコニウム合金材料は、約９５０ＭＰａの最大抗張力を有する。他のいくつかの代替実装形態では、本開示の歯科インプラントは、約９８％のチタンおよび約２％のニオブを含有するチタン合金から機械加工される。さらに他のいくつかの代替実装形態では、本開示の歯科インプラントは、約８７％のチタン、約６％のアルミニウム、および約７％のニオブを含有するチタン合金から機械加工される。他のいくつかの代替実装形態では、本開示の歯科インプラントは、約９１％のチタン、約６％のアルミニウム、および約３％のニオブを含有するチタン合金から機械加工される。他のいくつかの代替実装形態では、本開示の歯科インプラントは、約７７％のチタン、約３％のアルミニウム、約９％のニオブ、および約１１％のクロムを含有するチタン合金から機械加工される。
【００７７】
本開示の歯科インプラントについては、第１のねじ山（例えば１１４ａ、２１４ａ、３１４ａ、４１４ａ、５１４ａ）および第２のねじ山（例えば１１４ｂ、２１４ｂ、３１４ｂ、４１４ｂ、５１４ｂ）を含むものとして示し、説明している。例えば、角度付き歯科インプラント５００は、第１のねじ山５１４ａおよび第２のねじ山５１４ｂを含む。第１のねじ山５１４ａは、（近位部分５１２ａの周りの）マイクロねじ山としても知られ、第２のねじ山５１４ｂは、（遠位部分５１２ｂの周りの）主ねじ山５１４ｂとしても知られる。マイクロねじ山とは、マイクロねじ山５１４ａが、主ねじ山５１４ｂと比べて比較的小さな山−谷距離を有することを意味する。（同じねじ山外径、同じねじ山谷径などをもつ第２のねじ山５１４ｂの単なる連続であるのとは対照的に）第１のねじ山５１４ａをマイクロねじ山５１４ａにすることによって、マイクロねじ山５１４ａのねじ山谷径のほうが、主ねじ山５１４ｂのねじ山谷径よりも比較的大きくなる。したがって、円周方向延在壁部５３５は、第１のねじ山５１４ａのねじ山谷径が第２のねじ山５１４ｂのねじ山谷径に等しければそうであったろうよりも比較的厚い。したがって、円周方向延在壁部５３５が比較的より厚くなった状態で、角度付き歯科インプラント５００は比較的より堅固になっている。
【００７８】
本開示の歯科インプラントのいくつかについては、冷間加工した高強度の商用純（例えばグレードＩＶ）チタンから機械加工されるものとして示し、説明している。いくつかのそのような実装形態では、冷間加工した高強度の商用純（例えばグレードＩＶ）チタンから機械加工されるこれらの歯科インプラントは、少なくとも約２００ニュートンの、少なくとも約２２５ニュートンの、または少なくとも約２５０ニュートンの疲労強度を有する。
【００７９】
以上、本開示について、１つまたは複数の特定の実施形態および実装形態に即して説明してきたが、それに対して、本開示の趣旨および範囲から逸脱することなく多くの変更を加えることができることを、当業者なら理解するであろう。これらの実施形態および実装形態ならびにその明白な変形形態の各々は、添付の特許請求の範囲に記載される本開示の趣旨および範囲に含まれるものとして企図される。
【符号の説明】
【００８０】
１００  歯科インプラント
１１０  略円筒形本体
１１２ａ  上部または近位部分
１１２ｂ  下部または遠位部分
１１４ａ  第１のねじ山、マイクロねじ山
１１４ｂ  第２のねじ山、主ねじ山
１１８  略垂直フルート
１１９  外側面
１２０  カラー部
１３０  内部ボア
１３２  めねじ山
１３５  円周方向延在壁部
１３９  内側面
１５０  非回転特徴物
２００  角度付き歯科インプラント、歯科角度付きインプラント
２１０  略円筒形本体
２１０ａ  第１の側
２１０ｂ  第２の反対側
２１２ａ  上部または近位部分
２１２ｂ  下部または遠位部分
２１３  角度付き部分
２１４ａ  第１のねじ山
２１４ｂ  第２のねじ山
２１８  略垂直フルート
２１９  外側面
２２０  角度付きカラー部
２３０  内部ボア
２３１ａ  近位端
２３１ｂ  遠位端
２３２  めねじ山
２３５  円周方向延在壁部
２３９  内側面
２５０  非回転特徴物
３００  角度付き歯科インプラント
３１０  略円筒形本体
３１０ａ  第１の側
３１０ｂ  第２の反対側
３１２ａ  近位部分
３１２ｂ  遠位部分
３１３  角度付き部分
３１４ａ  第１のねじ山
３１４ｂ  第２のねじ山
３１８  フルート
３１９  外側面
３２０  カラー部
３３０  内部ボア
３３１ａ  近位端
３３１ｂ  遠位端
３３５  円周方向延在壁部
３３９  内側面
３５０  非回転特徴物
４００  角度付き歯科インプラント
４１０  略円筒形本体
４１０ａ  第１の側
４１０ｂ  第２の反対側
４１２ａ  近位部分
４１２ｂ  遠位部分
４１３  角度付き部分
４１４ａ  第１のねじ山
４１４ｂ  第２のねじ山
４１８  フルート
４１９  外側面
４２０  カラー部
４３０  内部ボア
４３１ａ  近位端
４３１ｂ  遠位端
４３５  円周方向延在壁部
４３９  内側面
４５０  非回転特徴物
５００  角度付き歯科インプラント
５１０  略円筒形本体
５１０ａ  第１の側
５１０ｂ  第２の反対側
５１２ａ  近位部分
５１２ｂ  遠位部分
５１３  角度付き部分
５１４ａ  第１のねじ山、マイクロねじ山
５１４ｂ  第２のねじ山、主ねじ山
５１８  フルート
５１９  外側面
５２０  カラー部
５３０  内部ボア
５３１ａ  近位端
５３１ｂ  遠位端
５３５  円周方向延在壁部
５３９  内側面
５５０  非回転特徴物
６００  角度付き歯科インプラント
６０１  歯科組立体
６１３  角度付き部分
６３０  内部ボア
６３２  めねじ山
６５０  非回転特徴物
６７５  アバットメント
６７８  基部
６８０  ポスト
６８２  ステム
６８５  非回転特徴物
６８８  貫通ボア
６９０  ねじ
７００  角度付き歯科インプラント、角度付きザイゴマ歯科インプラント
７１０  略円筒形本体
７１０ａ  第１の側
７１０ｂ  第２の反対側
７１２ａ  ねじ切り近位部分
７１２ｂ  ねじ切り遠位部分
７１２ｃ  非ねじ切り中間部分
７１３  角度付き部分
７１４ａ  第１のねじ山
７１４ｂ  第２のねじ山
７１８  フルート
７１９  外側面
７２０  カラー部
７３０  内部ボア
７３１  遠位端
７３５  円周方向延在壁部
７３９  内側面
７５０  非回転特徴物
８００  角度付きザイゴマ歯科インプラント
８１０  略円筒形本体
８１２ａ  近位または上部ねじ切り部分、近位部分
８１２ｂ  遠位または下部ねじ切り部分、遠位部分
８１２ｃ  中間ねじ切り部分
８１３  角度付き部分
８１４  ねじ山
８１８  フルート
８２０  カラー部
８３０  内部ボア
８３５  円周方向延在壁部
８５０  非回転特徴物
９００  角度付きザイゴマ歯科インプラント
９１０  略円筒形本体
９１２ａ  近位または上部非ねじ切り部分、非ねじ切り近位部分
９１２ｂ  遠位または下部ねじ切り部分、ねじ切り遠位部分
９１２ｃ  中間非ねじ切り部分、非ねじ切り中間部分
９１３  角度付き部分
９１４  ねじ山
９１８  フルート
９２０  カラー部
９３０  内部ボア
９３５  円周方向延在壁部
９５０  非回転特徴物
Ｄｍａｘ  外側径
Ｄｍａｘ，ｃ  公称最大外側径
Ｄｍａｘ，ｔ  公称最大外側径
Ｌ  長さ
ｔｗ．ｍａｘ、ｔｗ，ｍａｘ  最大厚さ
ｔｗ．ｍｉｎ、ｔｗ，ｍｉｎ  最小厚さ
Ｘｍａｉｎ  主中心軸
Ｘｂｏｒｅ  ボア中心軸
Θ  角度
【図１Ａ】
2019509851.tif 000004
【図１Ｂ】
2019509851.tif 000005
【図１Ｃ】
2019509851.tif 000006
【図２Ａ】
2019509851.tif 000007
【図２Ｂ】
2019509851.tif 000008
【図２Ｃ】
2019509851.tif 000009
【図３Ａ】
2019509851.tif 000010
【図３Ｂ】
2019509851.tif 000011
【図３Ｃ】
2019509851.tif 000012
【図４Ａ】
2019509851.tif 000013
【図４Ｂ】
2019509851.tif 000014
【図４Ｃ】
2019509851.tif 000015
【図５Ａ】
2019509851.tif 000016
【図５Ｂ】
2019509851.tif 000017
【図５Ｃ】
2019509851.tif 000018
【図６Ａ】
2019509851.tif 000019
【図６Ｂ】
2019509851.tif 000020
【図６Ｃ】
2019509851.tif 000021
【図７Ａ】
2019509851.tif 000022
【図７Ｂ】
2019509851.tif 000023
【図７Ｃ】
2019509851.tif 000024
【図８】
2019509851.tif 000025
【図９】
2019509851.tif 000026
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
角度付き歯科インプラントであって、
最大外側径および主中心軸を有する略円筒形本体であって、少なくとも約９００ＭＰａの最大抗張力を有する冷間加工した高強度の商用純チタンから形成され、近位部分、および前記角度付き歯科インプラントを患者の骨内に固定するための、反対側にある遠位部分を有する、略円筒形本体と、
内部ボアであって、前記略円筒形本体内に形成され、それにより、前記略円筒形本体の外側面の少なくとも一部分と前記内部ボアの内側面の少なくとも一部分とによって画定される、円周方向延在壁部を形成し、前記内部ボアが、前記略円筒形本体の前記主中心軸に対して約７°から約３１°の間の角度を成すボア中心軸を有し、前記ボア中心軸の相対角度のため、前記円周方向延在壁部の少なくとも第１の部分が、前記第１の部分の円周を巡って変化する厚さを有し、前記円周方向延在壁部の、前記第１の部分のところの前記厚さが、前記略円筒形本体の第１の側に隣接する最薄部分から、前記略円筒形本体の第２の反対側に隣接する最厚部分まで変化し、前記内部ボアが、アバットメントを着脱自在保持するように構成されたねじを、前記角度付き歯科インプラントと係合して受領するための、ねじ切り部分を有する、内部ボアと、
前記アバットメントと非回転式に係合するように構成された非回転特徴物と、
を備え、
前記略円筒形本体の前記最大外側径と、前記第１の部分のところの、前記略円筒形本体の前記第１の側に隣接する、前記円周方向延在壁部の前記最薄部分との比が、約１６から約８０の間である、
角度付き歯科インプラント。
【請求項２】
前記円周方向延在壁部の前記第１の部分が、前記内部ボアの近位端に隣接している、請求項１に記載の角度付き歯科インプラント。
【請求項３】
前記円周方向延在壁部の前記第１の部分が、前記内部ボアの遠位端に隣接している、請求項１に記載の角度付き歯科インプラント。
【請求項４】
前記比が約２０から約８０の間である、請求項１に記載の角度付き歯科インプラント。
【請求項５】
前記比が約３０から約８０の間である、請求項１に記載の角度付き歯科インプラント。
【請求項６】
前記比が約３０から約５０の間である、請求項１に記載の角度付き歯科インプラント。
【請求項７】
前記最大外側径が約３ミリメートルである、請求項１に記載の角度付き歯科インプラント。
【請求項８】
前記最大外側径が約３．２５ミリメートルである、請求項１に記載の角度付き歯科インプラント。
【請求項９】
前記最大外側径が約３．５ミリメートルである、請求項１に記載の角度付き歯科インプラント。
【請求項１０】
前記最大外側径が約４ミリメートルである、請求項１に記載の角度付き歯科インプラント。
【請求項１１】
前記最大外側径が約４．２５ミリメートルである、請求項１に記載の角度付き歯科インプラント。
【請求項１２】
前記第１の部分のところの、前記略円筒形本体の前記第１の側に隣接する、前記円周方向延在壁部の前記最薄部分が約０．０４ミリメートルである、請求項１に記載の角度付き歯科インプラント。
【請求項１３】
前記第１の部分のところの、前記略円筒形本体の前記第１の側に隣接する、前記円周方向延在壁部の前記最薄部分が約０．１０ミリメートルである、請求項１に記載の角度付き歯科インプラント。
【請求項１４】
前記第１の部分のところの、前記略円筒形本体の前記第１の側に隣接する、前記円周方向延在壁部の前記最薄部分が約０．１５ミリメートルである、請求項１に記載の角度付き歯科インプラント。
【請求項１５】
前記第１の部分のところの、前記略円筒形本体の前記第１の側に隣接する、前記円周方向延在壁部の前記最薄部分が約０．２ミリメートルである、請求項１に記載の角度付き歯科インプラント。
【請求項１６】
前記第１の部分のところの、前記略円筒形本体の前記第１の側に隣接する、前記円周方向延在壁部の前記最薄部分が約０．２５ミリメートルである、請求項１に記載の角度付き歯科インプラント。
【請求項１７】
前記第１の部分のところの、前記略円筒形本体の前記第１の側に隣接する、前記円周方向延在壁部の前記最薄部分が約０．３ミリメートルである、請求項１に記載の角度付き歯科インプラント。
【請求項１８】
前記第１の部分のところの、前記略円筒形本体の前記第１の側に隣接する、前記円周方向延在壁部の前記最薄部分が約０．３５ミリメートルである、請求項１に記載の角度付き歯科インプラント。
【請求項１９】
前記第１の部分のところの、前記略円筒形本体の前記第１の側に隣接する、前記円周方向延在壁部の前記最薄部分が約０．４ミリメートルである、請求項１に記載の角度付き歯科インプラント。
【請求項２０】
前記角度付き歯科インプラントが、インターナルコネクション歯科インプラントであり、前記非回転特徴物が、前記内部ボア内に形成されたソケットを含む、請求項１に記載の角度付き歯科インプラント。
【請求項２１】
前記角度付き歯科インプラントが、エクスターナルコネクション歯科インプラントであり、前記非回転特徴物が、前記略円筒形本体の前記近位部分から延在するボスを含む、請求項１に記載の角度付き歯科インプラント。
【請求項２２】
前記非回転特徴物が、前記アバットメントと係合する前に、前記角度付き歯科インプラントを前記患者の前記骨内に設置するために、工具によって係合されるように構成される、請求項１に記載の角度付き歯科インプラント。
【請求項２３】
前記患者の前記骨が、前記患者の上顎骨前方部または下顎骨前方部である、請求項２２に記載の角度付き歯科インプラント。
【請求項２４】
前記非回転特徴物が６面６角形ソケットである、請求項２２に記載の角度付き歯科インプラント。
【請求項２５】
前記非回転特徴物が１２面星形ソケットである、請求項２２に記載の角度付き歯科インプラント。
【請求項２６】
前記非回転特徴物が、前記アバットメントと非回転式に係合するように構成される、請求項１に記載の角度付き歯科インプラント。
【請求項２７】
前記アバットメントが、歯様補綴物を支持するための上部部分と、前記角度付き歯科インプラントの前記非回転特徴物と係合するための下部部分とを含む、請求項１に記載の角度付き歯科インプラント。
【請求項２８】
前記高強度の商用純チタンがグレードＩＶチタンである、請求項１に記載の角度付き歯科インプラント。
【請求項２９】
前記略円筒形本体の前記近位部分の外部表面が、マイクロねじ山を含み、前記略円筒形本体の前記反対側にある遠位部分の外部表面が、主ねじ山を含み、前記マイクロねじ山が、前記円周方向延在壁部の、前記最薄部分を有する前記第１の部分を巡って位置する、請求項１に記載の角度付き歯科インプラント。
【請求項３０】
前記マイクロねじ山が、前記主ねじ山に比べて小さな山−谷距離および大きなねじ山谷径を有する、請求項２９に記載の角度付き歯科インプラント。
【請求項３１】
角度付きザイゴマ歯科インプラントであって、
最大外側径および主中心軸を有する略円筒形本体であって、少なくとも約９００ＭＰａの最大抗張力を有する冷間加工した高強度の商用純チタンから形成され、近位部分、中間部分、および前記角度付きザイゴマ歯科インプラントを患者の骨内に固定するためのねじ切り遠位部分を有し、約２５ミリメートルから約６０ミリメートルの間の長さを有する、略円筒形本体と、
内部ボアであって、前記略円筒形本体内に形成され、それにより、前記略円筒形本体の外側面の少なくとも一部分と前記内部ボアの内側面の少なくとも一部分とによって画定される、円周方向延在壁部を形成し、前記内部ボアが、前記略円筒形本体の前記主中心軸に対して約４０°から約６５°の間の角度を成すボア中心軸を有し、前記ボア中心軸の相対角度のため、前記円周方向延在壁部が最薄部分を有し、前記内部ボアが、アバットメントを着脱自在保持するように構成されたねじを、前記角度付きザイゴマ歯科インプラントと係合して受領するための、ねじ切り部分を有する、内部ボアと、
前記アバットメントと非回転式に係合するように構成された非回転特徴物と、
を備え、
前記略円筒形本体の前記最大外側径と、前記円周方向延在壁部の前記最薄部分との比が、約５０から約７５の間である、
角度付きザイゴマ歯科インプラント。
【請求項３２】
前記円周方向延在壁部の前記最薄部分が、約０．０４ミリメートルから約０．１ミリメートルの間の厚さを有する、請求項３１に記載の角度付きザイゴマ歯科インプラント。
【請求項３３】
前記円周方向延在壁部の前記最薄部分が、約０．０６ミリメートルから約０．０８ミリメートルの間の厚さを有する、請求項３１に記載の角度付きザイゴマ歯科インプラント。
【請求項３４】
前記円周方向延在壁部の前記最薄部分が、前記内部ボアの遠位端に隣接している、請求項３１に記載の角度付きザイゴマ歯科インプラント。
【請求項３５】
前記角度が約５５度である、請求項３１に記載の角度付きザイゴマ歯科インプラント。
【請求項３６】
前記略円筒形本体の前記最大外側径が、約３．５ミリメートルから約４．５ミリメートルの間である、請求項３１に記載の角度付きザイゴマ歯科インプラント。
【請求項３７】
（ｉ）前記略円筒形本体の前記近位部分がねじ切りされており、（ｉｉ）前記略円筒形本体の前記中間部分がねじ切りされておらず、（ｉｉｉ）前記略円筒形本体の前記遠位部分がねじ切りされている、請求項３１に記載の角度付きザイゴマ歯科インプラント。
【請求項３８】
（ｉ）前記略円筒形本体の前記近位部分がねじ切りされておらず、（ｉｉ）前記略円筒形本体の前記中間部分がねじ切りされておらず、（ｉｉｉ）前記略円筒形本体の前記遠位部分がねじ切りされている、請求項３１に記載の角度付きザイゴマ歯科インプラント。
【請求項３９】
（ｉ）前記略円筒形本体の前記近位部分がねじ切りされており、（ｉｉ）前記略円筒形本体の前記中間部分がねじ切りされており、（ｉｉｉ）前記略円筒形本体の前記遠位部分がねじ切りされている、請求項３１に記載の角度付きザイゴマ歯科インプラント。
【請求項４０】
前記比が約５５から約６５の間である、請求項３１に記載の角度付きザイゴマ歯科インプラント。
【請求項４１】
前記長さが約４０ミリメートルから約５５ミリメートルの間である、請求項３１に記載の角度付きザイゴマ歯科インプラント。
【請求項４２】
前記アバットメントが、複数の補綴歯に結合されたブリッジである、請求項３１に記載の角度付きザイゴマ歯科インプラント。
【請求項４３】
歯科インプラントであって、
主中心軸を有する略円筒形本体であって、少なくとも約９００ＭＰａの最大抗張力を有する冷間加工した高強度の商用純チタンから形成され、近位部分、および前記歯科インプラントを患者の骨内に固定するための、反対側にある遠位部分を有する、略円筒形本体と、
内部ボアであって、円周方向延在壁部が画定されるように前記略円筒形本体内に形成され、（ｉ）前記略円筒形本体の前記主中心軸に対して非ゼロ角度を成すボア中心軸、および（ｉｉ）アバットメントを着脱自在保持するように構成されたねじを、前記歯科インプラントと係合して受領するための、ねじ切り部分を有する、内部ボアと、
前記アバットメントと非回転式に係合するように構成された非回転特徴物と、
を備え、
前記略円筒形本体の最大外側径と、前記円周方向延在壁部の最薄部分との比が、約１６から約８０の間である、
歯科インプラント。
【請求項４４】
前記円周方向延在壁部が、前記略円筒形本体の外側面と前記内部ボアの内側面とによって画定される、請求項４３に記載の歯科インプラント。
【請求項４５】
前記円周方向延在壁部の少なくとも一部分が、前記アバットメントと直接係合するように構成される、請求項４４に記載の歯科インプラント。
【請求項４６】
前記円周方向延在壁部の一部分が、約０．０４ミリメートルから約０．２５ミリメートルの間の厚さを有する、請求項４４に記載の歯科インプラント。
【請求項４７】
前記円周方向延在壁部の前記一部分が、前記内部ボアの近位端に隣接している、請求項４６に記載の歯科インプラント。
【請求項４８】
前記円周方向延在壁部の前記一部分が、前記内部ボアの遠位端に隣接している、請求項４６に記載の歯科インプラント。
【請求項４９】
前記円周方向延在壁部の一部分が、約０．１０ミリメートルから約０．２５ミリメートルの間の厚さを有する、請求項４４に記載の歯科インプラント。
【請求項５０】
前記円周方向延在壁部の一部分が、約０．１５ミリメートルから約０．２ミリメートルの間の厚さを有する、請求項４４に記載の歯科インプラント。
【請求項５１】
前記円周方向延在壁部の一部分が、約０．０５ミリメートルの厚さを有する、請求項４４に記載の歯科インプラント。
【請求項５２】
前記円周方向延在壁部の一部分が、約０．１５ミリメートルの厚さを有する、請求項４４に記載の歯科インプラント。
【請求項５３】
前記円周方向延在壁部の一部分が、約０．２ミリメートルの厚さを有する、請求項４４に記載の歯科インプラント。
【請求項５４】
前記円周方向延在壁部の一部分が、約０．２５ミリメートルの厚さを有する、請求項４４に記載の歯科インプラント。
【請求項５５】
前記円周方向延在壁部の一部分が、約０．３ミリメートルの厚さを有する、請求項４４に記載の歯科インプラント。
【請求項５６】
前記円周方向延在壁部の一部分が、約０．３５ミリメートルの厚さを有する、請求項４４に記載の歯科インプラント。
【請求項５７】
前記円周方向延在壁部の一部分が、約０．４ミリメートルの厚さを有する、請求項４４に記載の歯科インプラント。
【請求項５８】
前記最大抗張力が約９２０ＭＰａである、請求項４３に記載の歯科インプラント。
【請求項５９】
前記非ゼロ角度が約７度から約３１度の間である、請求項４３に記載の歯科インプラント。
【請求項６０】
前記非ゼロ角度が約１２度である、請求項４３に記載の歯科インプラント。
【請求項６１】
前記非ゼロ角度が約２４度である、請求項４３に記載の歯科インプラント。
【請求項６２】
前記非ゼロ角度が約７度である、請求項４３に記載の歯科インプラント。
【請求項６３】
前記非ゼロ角度が約３１度である、請求項４３に記載の歯科インプラント。
【請求項６４】
前記略円筒形本体の最大外側径が約３ミリメートルである、請求項４３に記載の歯科インプラント。
【請求項６５】
前記略円筒形本体の最大外側径が約３．２５ミリメートルである、請求項４３に記載の歯科インプラント。
【請求項６６】
前記略円筒形本体の最大外側径が約３．５ミリメートルである、請求項４３に記載の歯科インプラント。
【請求項６７】
前記略円筒形本体の最大外側径が約４ミリメートルである、請求項４３に記載の歯科インプラント。
【請求項６８】
前記略円筒形本体の最大外側径が約４．２５ミリメートルである、請求項４３に記載の歯科インプラント。
【請求項６９】
前記略円筒形本体の前記近位部分の外部表面が、第１のねじ山を含み、前記略円筒形本体の前記反対側にある遠位部分の外部表面が、第２のねじ山を含む、請求項４３に記載の歯科インプラント。
【請求項７０】
前記第１のねじ山が、第１のピッチを有し、前記第２のねじ山が、前記第１のピッチと同じ第２のピッチを有する、請求項６９に記載の歯科インプラント。
【請求項７１】
前記第１のねじ山が多条ねじ山であり、前記第２のねじ山が一条ねじ山である、請求項７０に記載の歯科インプラント。
【請求項７２】
前記第１のねじ山の山−谷距離が、約０．０５ミリメートルから約０．１ミリメートルの範囲内にあり、前記第２のねじ山の山−谷距離が、約０．２ミリメートルから約０．５ミリメートルの範囲内にある、請求項７０に記載の歯科インプラント。
【請求項７３】
前記略円筒形本体の前記近位部分の外部表面が、第１のねじ山を含み、前記略円筒形本体の前記反対側にある遠位部分の外部表面が、第２のねじ山を含み、前記第１のねじ山が、前記円周方向延在壁部の前記最薄部分を巡って位置する、請求項４３に記載の歯科インプラント。
【請求項７４】
前記第１のねじ山がマイクロねじ山であり、前記第２のねじ山が主ねじ山である、請求項７３に記載の歯科インプラント。
【請求項７５】
前記患者の前記骨が、前記患者の上顎骨前方部または下顎骨前方部である、請求項４３に記載の歯科インプラント。
【請求項７６】
前記高強度の商用純チタンがグレードＩＶチタンである、請求項４３に記載の歯科インプラント。
【請求項７７】
前記歯科インプラントが、インターナルコネクション歯科インプラントであり、前記非回転特徴物が、前記内部ボア内に形成されたソケットを含む、請求項４３に記載の歯科インプラント。
【請求項７８】
前記歯科インプラントが、エクスターナルコネクション歯科インプラントであり、前記非回転特徴物が、前記略円筒形本体の前記近位部分から延在するボスを含む、請求項４３に記載の歯科インプラント。
【請求項７９】
歯科インプラントを作製する方法であって、
冷間加工した商用純チタンを、主中心軸を有する略円筒形本体に機械加工するステップであって、前記略円筒形本体が、近位部分、および前記歯科インプラントを患者の骨内に固定するための、反対側にある遠位部分を有し、前記冷間加工した商用純チタンが、少なくとも約９００ＭＰａの最大抗張力を有する、ステップと、
円周方向延在壁部が画定されるように前記略円筒形本体内に内部ボアを形成するステップであって、前記内部ボアが、（ｉ）前記略円筒形本体の前記主中心軸に対して非ゼロ角度を成すボア中心軸、および（ｉｉ）ねじ切り部分を含む、ステップと、
前記略円筒形本体内に、アバットメントと係合するための非回転特徴物を形成するステップと、
を含み、
前記略円筒形本体の最大外側径と、前記円周方向延在壁部の最薄部分との比が、約１６から約８０の間である、
方法。
【請求項８０】
前記略円筒形本体の前記最大外側径が、約３ミリメートルから約４ミリメートルの間である、請求項７９に記載の方法。
【請求項８１】
前記非ゼロ角度が、７度よりも大きく３１度未満である、請求項８０に記載の方法。
【請求項８２】
前記円周方向延在壁部が、前記略円筒形本体の外側面と前記内部ボアの内側面とによって画定される、請求項８１に記載の方法。
【請求項８３】
前記円周方向延在壁部の一部分が、約０．０４ミリメートルから約０．２５ミリメートルの間の厚さを有する、請求項８２に記載の方法。
【請求項８４】
前記円周方向延在壁部の一部分が、約０．０４ミリメートルから約０．４ミリメートルの間の厚さを有する、請求項８２に記載の方法。
【請求項８５】
前記円周方向延在壁部の前記一部分が、前記内部ボアの近位端に隣接している、請求項８３に記載の方法。
【請求項８６】
前記円周方向延在壁部の前記一部分が、前記内部ボアの遠位端に隣接している、請求項８３に記載の方法。
【請求項８７】
高強度の前記商用純チタンがグレードＩＶチタンである、請求項８３に記載の方法。
【請求項８８】
前記歯科インプラントを患者の上顎骨前方部または下顎骨前方部内に設置するステップをさらに含む、請求項８７に記載の方法。
【請求項８９】
前記アバットメントを前記歯科インプラントと非回転係合させ、前記アバットメントをそこに、前記内部ボアの前記ねじ切り部分と係合するねじを用いて固定するステップをさらに含む、請求項８８に記載の方法。
【請求項９０】
前記機械加工するステップの前に、前記商用純チタンを冷間加工し、それにより、前記商用純チタンの前記最大抗張力を少なくとも約９００ＭＰａに高めるステップをさらに含む、請求項７９に記載の方法。
【請求項９１】
前記略円筒形本体の前記近位部分の外部表面内にマイクロねじ山を形成するステップと、前記略円筒形本体の前記反対側にある遠位部分の外部表面内に主ねじ山を形成するステップとをさらに含み、前記マイクロねじ山が、前記円周方向延在壁部の前記最薄部分を巡って位置する、請求項８０に記載の方法。
【請求項９２】
前記マイクロねじ山が、前記主ねじ山に比べて小さな山−谷距離および大きなねじ山谷径を有し、前記マイクロねじ山の前記山−谷距離が、約０．０５ミリメートルから約０．１ミリメートルの範囲内にあり、前記主ねじ山の前記山−谷距離が、約０．２ミリメートルから約０．５ミリメートルの範囲内にある、請求項９１に記載の方法。
【国際調査報告】
2019509851.tif 000027
2019509851.tif 000028
2019509851.tif 000029
2019509851.tif 000030